(57)【要約】無線デバイス１０、１２０と、無線ネットワークノード２０、１１０からスケジューリングされた測位システム情報を受信するためにそこで実行される方法。無線デバイスと無線ネットワークノードは無線通信ネットワーク１００内で動作する。無線デバイスは、無線ネットワークノードから、測位システム情報スケジューリング情報（ｐＳＩ）と、システム情報（ＳＩ）ウィンドウあたりで測位システム情報ブロックを有するシステム情報メッセージ（ｐＳＩＭ）の数と、スケジューリングオフセットとのうちの少なくとも１つを受信する。さらに、無線デバイスは、ｐＳＩに基づくとともに、スケジューリングオフセットおよびＳＩウィンドウあたりのｐＳＩＭの数のうちの少なくとも１つに基づいて、１つ以上のｐＳＩＭが、どのサブフレームにおいて無線ネットワークノードによってスケジューリングされるかを決定する。さらに、無線デバイスは、１つ以上のｐＳＩＭを受信するために、１つ以上のｐＳＩＭについて決定されたスケジューリングを使用する。
2021523612.tif 000002
【特許請求の範囲】
【請求項１】
無線ネットワークノード（２０、１１０）からスケジューリングされた測位システム情報を受信するための無線デバイス（１０、１２０）によって実行される方法であって、前記無線デバイス（１０、１２０）および前記無線ネットワークノード（２０、１１０）は無線通信ネットワーク（１００）で動作し、前記方法は、
−  前記無線ネットワークノード（２０、１１０）からの測位システム情報スケジューリング情報であるｐＳＩを受信すること（４０１）と、
−  前記無線ネットワークノード（２０、１１０）から受信すること（４０２）であって、
−  スケジューリングオフセットと、
−  ＳＩウィンドウあたりでの、測位システム情報ブロックを有するシステム情報メッセージであるｐＳＩＭの数と、うちの少なくとも１つを受信することと、
−  前記ｐＳＩに基づいて、前記無線ネットワークノード（２０、１１０）によって１つ以上のｐＳＩＭがどのサブフレームにスケジューリングされるかを決定すること（４０３）であって、さらに、
−  前記スケジューリングオフセットと、
−  前記ＳＩウィンドウあたりでの前記ｐＳＩＭの数と、のうちの少なくとも１つに基づいて、決定することと、
−  前記１つ以上のｐＳＩＭを受信するために前記１つ以上のｐＳＩＭについての前記決定されたスケジューリングを使用すること（４０４）と、を有する方法。
【請求項２】
請求項１に記載の方法であって、さらに、
−  前記受信された１つ以上のｐＳＩＭの情報を復号すること（４０５）と、前記無線デバイス（１０、１２０）の測位を支援するために前記復号された情報を使用することと、を有する方法。
【請求項３】
請求項１または２に記載の方法であって、前記ｐＳＩと前記スケジューリングオフセットとに基づいて前記１つ以上のｐＳＩＭがどのサブフレームにスケジューリングされるかを決定すること（４０３）は、
−  ＳＦＮ  ｍｏｄ  Ｔ＝Ｆｌｏｏｒ（ｘ／１０）＋８である無線フレームにおいてａ＝  ｘ  ｍｏｄ  １０としてｐＳＩＭのスタートサブフレーム番号ａを決定することを含み、ここで、ＳＦＮはサブフレーム番号であり、Ｔは前記ｐＳＩＭのＳＩ周期であり、８はスケジューリングオフセットによって示され、ｘはｘ  ＝  ｍ＊ｗｍ  ＋（ｎ−１）＊ｗｎによって与えられる整数値であり、ここで、ｍはＳＩメッセージの数であり、ｗｍは前記ＳＩメッセージのウィンドウ長であり、ｎは前記ｐＳＩＭのリスト内のエントリの順番を与えるもので、前記ｐＳＩによって与えられ、ｗｎは前記ｐＳＩＭのウィンドウ長である、方法。
【請求項４】
請求項１から３のいずれか一項に記載の方法であって、前記スケジューリングオフセットは、シフトされたスタート位置のインジケーションである、方法。
【請求項５】
請求項１から３のいずれか一項に記載の方法であって、前記スケジューリングオフセットは、ＳＩ周期に等しい、方法。
【請求項６】
請求項５に記載の方法であって、前記ＳＩ周期は、８サブフレームである、方法。
【請求項７】
請求項１または２に記載の方法であって、前記ｐＳＩと前記ＳＩウィンドウあたりでのｐＳＩＭの数とに基づいて前記１つ以上のｐＳＩＭがどのサブフレームにスケジューリングされるかを決定すること（４０３）は、
−  ＳＦＮ  ｍｏｄ  Ｔ＝Ｆｌｏｏｒ（ｘ／１０）である無線フレームにおいてａ＝  ｘ  ｍｏｄ  １０としてｐＳＩＭのスタートサブフレーム番号ａを決定することを含み、ここで、ＳＦＮはサブフレーム番号であり、ＴはｐＳＩＭのＳＩ周期であり、ｘはｘ  ＝  ＦＬＯＯＲ（（ｎ−１）／ｃ）＊ｗｎによって与えられる整数値であり、ｎはｐＳＩＭのリスト内のエントリの順番を与えるもので、前記ｐＳＩによって与えられ、ｃはＳＩウィンドウあたりでスケジューリングされるｐＳＩＭの数であり、ｗｎは前記ｐＳＩＭのウィンドウ長である、方法。
【請求項８】
請求項１から７のいずれか一項に記載の方法であって、各ｐＳＩＭは、１つ以上の測位システム情報ブロックであるｐＳＩＢを含み、各ｐＳＩＢは、測位支援データの１つ以上のセグメントを含む、方法。
【請求項９】
請求項８に記載の方法であって、前記ｐＳＩは、
−  ｐＳＩＢタイプごとの全球衛星測位システム識別情報であるＧＮＳＳ  ＩＤと、
−  各ｐＳＩＭの前記１つ以上のｐＳＩＢが暗号化されているかどうかのインジケーションと、のうちの１つ以上を含む、方法。
【請求項１０】
請求項１から９のいずれか一項に記載の方法であって、前記ＳＩウィンドウあたりのｐＳＩＭの数が、ＳＩウィンドウ内においてＳＩメッセージの後にスケジューリングされるＰＳＩＭの数を示す、方法。
【請求項１１】
無線デバイス（１０、１２０）へスケジューリングされた測位システム情報を送信するために無線ネットワークノード（２０、１１０）によって実行される方法であって、前記無線ネットワークノード（２０、１１０）および前記無線デバイス（１０、１２０）は無線通信ネットワーク（１００）で動作するものであり、前記方法は、
−  １つ以上の測位システム情報ブロックであるｐＳＩＢを取得すること（６０１）と、
−  １つ以上のｐＳＩＢを含めるように、測位システム情報ブロックを有する１つ以上のシステム情報メッセージであるｐＳＩＭをコンパイルすること（６０２）と、
−  スケジューリングオフセットとＳＩウィンドウあたりのｐＳＩＭの数とのうちの少なくとも１つを考慮して、前記１つ以上のｐＳＩＭの測位システム情報スケジューリング情報であるｐＳＩを決定すること（６０３）と、
−  前記１つ以上のｐＳＩＭについての前記決定されたｐＳＩと、前記スケジューリングオフセットおよび前記ｐＳＩＭの数のうちの少なくとも１つとをブロードキャストすること（６０４）と、
−  前記決定されたｐＳＩに従って前記１つ以上のｐＳＩＭをスケジューリングして送信すること（６０５）と、を有する方法。
【請求項１２】
請求項１１に記載の方法であって、前記ｐＳＩは、
−  ｐＳＩＢタイプごとの全球衛星測位システム識別情報であるＧＮＳＳ  ＩＤと、
−  各ｐＳＩＭの前記１つ以上のｐＳＩＢが暗号化されているかどうかのインジケーションと、のうちの１つ以上を含む、方法。
【請求項１３】
請求項１１または１２に記載の方法であって、各ｐＳＩＢは、測位支援データの１つ以上のセグメントを含む、方法。
【請求項１４】
請求項１１から１３のいずれか一項に記載の方法であって、前記スケジューリングオフセットは、シフトされたスタート位置のインジケーションである、方法。
【請求項１５】
請求項１１から１３のいずれか一項に記載の方法であって、前記スケジューリングオフセットは、ＳＩ周期に等しい、方法。
【請求項１６】
請求項１５に記載の方法であって、前記ＳＩ周期は８サブフレームである、方法。
【請求項１７】
請求項１１から１６のいずれか一項に記載の方法であって、前記ＳＩウィンドウあたりのｐＳＩＭの数は、ＳＩウィンドウ内においてＳＩメッセージの後にスケジューリングされるｐＳＩＭの数を示す、方法。
【請求項１８】
無線ネットワークノード（２０、１１０）からスケジューリングされた測位システム情報を受信する無線デバイス（１０、１２０）であって、前記無線デバイス（１０、１２０）および前記無線ネットワークノード（２０、１１０）は無線通信ネットワーク（１００）において動作するように構成されており、前記無線デバイス（１０、１２０）は、
−  前記無線ネットワークノード（２０、１１０）から測位システム情報スケジューリング情報であるｐＳＩを受信し、
−  前記無線ネットワークノード（２０、１１０）から、
−  スケジューリングオフセットと、
−  ＳＩウィンドウあたりでの、測位システム情報ブロックを有するシステム情報メッセージであるｐＳＩＭの数と、のうちの少なくとも１つ受信し、
−  無線ネットワークノード（２０、１１０）によってどのサブフレームに１つ以上のｐＳＩＭがスケジューリングされるかを、前記ｐＳＩに基づくとともに、
−  前記スケジューリングオフセットと、
−  前記ＳＩウィンドウあたりでのｐＳＩＭの数と、のうちの少なくとも１つに基づいて、決定し、
−  前記１つ以上のｐＳＩＭを受信するために、前記１つ以上のｐＳＩＭについての前記決定されたスケジューリングを使用する、ように構成されている、無線デバイス。
【請求項１９】
請求項１８に記載の無線デバイス（１０、１２０）であって、さらに、
−  前記受信された１つ以上のｐＳＩＭの情報を復号し、前記無線デバイス（１０、１２０）の測位を支援するために前記復号された情報を使用するように構成されている、無線デバイス。
【請求項２０】
請求項１８または１９に記載の無線デバイス（１０、１２０）であって、前記無線デバイス（１０、１２０）は、前記１つ以上のｐＳＩＭが、前記ｐＳＩおよび前記スケジューリングオフセットに基づいて、どのサブフレームにおいてスケジューリングされるかを決定するよう構成されることは、さらに、
−  ＳＦＮ  ｍｏｄ  Ｔ＝Ｆｌｏｏｒ（ｘ／１０）＋８である無線フレームにおいてａ＝ｘ  ｍｏｄ  １０としてｐＳＩＭについてのスタートサブフレーム番号を決定するように構成されることによるものであり、ここで、ＳＦＮはサブフレーム番号であり、ＴはｐＳＩＭのＳＩ周期であり、８はスケジューリングオフセットによって示され、ｘはｘ  ＝  ｍ＊ｗｍ  ＋（ｎ−１）＊ｗｎによって与えられる整数値であり、ここで、ｍはＳＩメッセージの数であり、ｗｍはＳＩメッセージのウィンドウ長であり、ｎはｐＳＩＭのリスト内のエントリの順番を与えるもので、ｐＳＩによって与えられ、ｗｎはｐＳＩＭのウィンドウ長である、無線デバイス。
【請求項２１】
請求項１８から２０のいずれか一項に記載の無線デバイス（１０、１２０）であって、前記スケジューリングオフセットは、シフトされたスタート位置のインジケーションである、無線デバイス。
【請求項２２】
請求項１８から２０のいずれか一項に記載の無線デバイス（１０、１２０）であって、前記スケジューリングオフセットは、ＳＩ周期に等しい、無線デバイス。
【請求項２３】
請求項２２に記載の無線デバイス（１０、１２０）であって、前記ＳＩ周期は、８サブフレームである、無線デバイス。
【請求項２４】
請求項１８または１９に記載の無線デバイス（１０、１２０）であって、前記無線デバイス（１０、１２０）は、前記１つ以上のｐＳＩＭが、前記ｐＳＩと前記ＳＩウィンドウあたりのｐＳＩＭの数とに基づいて、どのサブフレームにスケジューリングされるかを決定するように構成されることは、さらに、
−  ＳＦＮ  ｍｏｄ  Ｔ  ＝  Ｆｌｏｏｒ（ｘ／１０）である無線フレームにおいてｐＳＩＭについてのスタートサブフレーム番号ａをａ  ＝  ｘ  ｍｏｄ  １０として決定するように構成されていることによるものであり、ここで、ＳＦＮはサブフレーム番号であり、ＴはｐＳＩＭのＳＩ周期であり、ｘはｘ  ＝  ＦＬＯＯＲ（（ｎ−１）／ｃ）＊ｗｎで与えられる整数値であり、ここで、ｎは前記ｐＳＩＭのリストにおけるエントリの順番を与えるもので、ｐＳＩにより与えられ、ｃはＳＩウインドウあたりでスケジューリングされるｐＳＩＭの数であり、ｗｎはｐＳＩＭのウインドウ長である、無線デバイス。
【請求項２５】
請求項１８から２４のいずれか１つに記載の無線デバイス（１０、１２０）であって、各ｐＳＩＭは、１つ以上の測位システム情報ブロックｐＳＩＢを含み、各ｐＳＩＢは、測位支援データの１つ以上のセグメントを含む、無線デバイス。
【請求項２６】
請求項２５に記載の無線デバイス（１０、１２０）であって、前記ｐＳＩは、
−  ｐＳＩＢタイプごとの全球衛星測位システム識別情報であるＧＮＳＳ  ＩＤと、
−  各ｐＳＩＭの前記１つ以上のｐＳＩＢが暗号化されているかどうかのインジケーションと、のうちの１つ以上を含む、無線デバイス。
【請求項２７】
請求項１８から２６のいずれか一項に記載の無線デバイス（１０、１２０）であって、前記ＳＩウィンドウあたりのｐＳＩＭの数は、ＳＩウィンドウ内においてＳＩメッセージの後にスケジューリングされるｐＳＩＭの数を示す、無線デバイス。
【請求項２８】
無線デバイス（１０、１２０）にスケジューリングされた測位システム情報を送信する無線ネットワークノード（２０、１１０）であって、前記無線ネットワークノード（２０、１１０）および前記無線デバイス（１０、１２０）は無線通信ネットワーク（１００）で動作するように構成されており、前記無線ネットワークノード（２０、１１０）は、
−  １つ以上の測位システム情報ブロックであるｐＳＩＢを取得し、
−  １つ以上のｐＳＩＢを含めるために、測位システム情報ブロックを有する１つ以上のシステム情報メッセージであるｐＳＩＭをコンパイルし、
−  スケジューリングオフセットとＳＩウィンドウあたりのｐＳＩＭの数とのうちの少なくとも１つを考慮して、前記１つ以上のｐＳＩＭの測位システム情報スケジューリング情報ｐＳＩを決定し、
−  前記スケジューリングオフセットおよび前記ｐＳＩＭの数とのうちの少なくとも１つと、前記１つ以上のｐＳＩＭの前記決定されたｐＳＩと、ブロードキャストし、
―  前記決定されたｐＳＩに従って前記１つ以上のｐＳＩＭをスケジューリングして送信する、ように構成されている、無線ネットワークノード。
【請求項２９】
請求項２８に記載の無線ネットワークノード（２０、１１０）であって、前記ｐＳＩは、
−  ｐＳＩＢタイプごとの全球衛星測位システム識別情報であるＧＮＳＳ  ＩＤと、
−  各ｐＳＩＭの前記１つ以上のｐＳＩＢが暗号化されているかどうかのインジケーションと、のうちの１つ以上を含む、無線ネットワークノード。
【請求項３０】
請求項２８または２９に記載の無線ネットワークノード（２０、１１０）であって、各ｐＳＩＢは、測位支援データの１つ以上のセグメントを含む、無線ネットワークノード。
【請求項３１】
請求項２８から３０のいずれか一項に記載の無線ネットワークノード（２０、１１０）であって、前記スケジューリングオフセットは、シフトされたスタート位置のインジケーションである、無線ネットワークノード。
【請求項３２】
請求項２８から３０のいずれか一項に記載の無線ネットワークノード（２０、１１０）であって、前記スケジューリングオフセットは、ＳＩ周期に等しい、無線ネットワークノード。
【請求項３３】
請求項３２に記載の無線ネットワークノード（２０、１１０）であって、前記ＳＩ周期は、８サブフレームである、無線ネットワークノード。
【請求項３４】
請求項２８から３３のいずれか一項に記載の無線ネットワークノード（２０、１１０）であって、前記ＳＩウィンドウあたりのｐＳＩＭの数は、ＳＩウィンドウ内においてＳＩメッセージの後にスケジューリングされたｐＳＩＭの数を示す、無線ネットワークノード。
【請求項３５】
少なくとも１つのプロセッサ上で実行されると、前記少なくとも１つのプロセッサに請求項１から１７のいずれか一項に記載の方法を実行させる命令を含むコンピュータプログラム。
【請求項３６】
電気信号、光信号、無線信号、または、コンピュータ可読記憶媒体のうちの１つであるキャリアであって、前記キャリアは、請求項３５に記載のコンピュータプログラムを有する、キャリア。
【発明の詳細な説明】
【技術分野】
【０００１】
本明細書の実施形態は、無線ネットワークノード、無線デバイス、およびその方法に関する。とりわけ、実施形態は、測位システム情報ブロック（ＳＩＢ）のスケジューリングに関する。
【背景技術】
【０００２】
典型的な無線通信ネットワークでは、無線通信装置、移動局、ステーション（ＳＴＡ）および／またはユーザ装置（ＵＥ）としても知られている無線デバイスは、ＷｉＦｉネットワークまたは無線アクセスネットワーク（ＲＡＮ）などのローカルエリアネットワーク（ＬＡＮ）を介して１つ以上のコアネットワーク（ＣＮ）と通信する。ＲＡＮは、サービスエリアまたはセルエリアに分割される地理的領域を含み、それらは、ビームまたはビームグループとも呼ばれ、各サービスエリアまたはセルエリアは、たとえば、Ｗｉ−Ｆｉアクセスポイントまたは無線基地局（ＲＢＳ）など、いくつかのネットワークにおいては、たとえば、ＮｏｄｅＢ、ｅＮｏｄｅＢ（ｅＮＢ）、または、５Ｇで示されうるｇＮＢなどの無線アクセスノードなど、無線ネットワークノードによってサービスを提供される。サービスエリアまたはセルエリアは、無線ネットワークノードによって無線カバレッジを提供される地理的領域である。無線ネットワークノードは、無線周波数で動作するエアインターフェースを介して、無線ネットワークノードの範囲内の無線デバイスと通信する。
【０００３】
第４世代（４Ｇ）ネットワークとも呼ばれる進化型パケットシステム（ＥＰＳ）の仕様は、第３世代パートナーシッププロジェクト（３ＧＰＰ）内で完了しており、この作業は、たとえば、５Ｇニューレディオ（ＮＲ：新無線）とも呼ばれる第５世代（５Ｇ）ネットワークを規定するために、将来の３ＧＰＰリリースにおいても継続する。ＥＰＳは、ロングタームエボリューション（ＬＴＥ）無線アクセスネットワークとしても知られる進化したユニバーサル地上無線アクセスネットワーク（Ｅ−ＵＴＲＡＮ）と、システムアーキテクチャエボリューション（ＳＡＥ）コアネットワークとしても知られる進化したパケットコア（ＥＰＣ）とで構成される。Ｅ−ＵＴＲＡＮ／ＬＴＥは、無線ネットワークノードが、３Ｇネットワークで使用されるＲＮＣではなく、ＥＰＣコアネットワークに直接的に接続される、３ＧＰＰ無線アクセスネットワークの変形である。概して、Ｅ−ＵＴＲＡＮ／ＬＴＥでは、３Ｇ  ＲＮＣの機能は、無線ネットワークノード、たとえば、ＬＴＥにおけるｅＮｏｄｅＢと、コアネットワークとの間で分散される。したがって、ＥＰＳのＲＡＮは、１つ以上のコアネットワークに直接的に接続された、すなわち、ＲＮＣに接続されていない無線ネットワークノードを備える、本質的に「フラット」なアーキテクチャを有する。これを補うために、Ｅ−ＵＴＲＡＮ  規格では無線ネットワークノード間の直接インターフェースが定義されており、このインターフェースはＸ２インターフェースと表記される。
【０００４】
マルチアンテナ技術は、無線通信システムのデータ速度および信頼性を大幅に向上させることができる。送信機と受信機の両方が複数のアンテナを備えている場合、多入力多出力（ＭＩＭＯ）の通信チャネルが生じ、特に性能が改善される。このようなシステムおよび／または関連技術は、一般にＭＩＭＯと呼ばれる。
【０００５】
５Ｇの計画では、インターネットコネクションの高速化に加えて、現在の４Ｇよりも大容量化を目指しており、エリア単位でモバイルブロードバンドのユーザ数を増やし、月間ギガバイト単位、ユーザ単位でデータ量を増やしたり、無制限に消費したりすることが可能となっている。これにより、人口の大部分が、Ｗｉ−Ｆｉホットスポットに届かないときに、モバイルデバイスで１日に何時間もハイビジョンメディアをストリーミングすることが可能になる。５Ｇの研究開発はまた、４Ｇ装置よりも低コストで、少バッテリ消費、および低遅延時間を目指して、物のインターネットとしても知られている、改善されたマシン間通信のサポートを目指している。
【０００６】
ＬＴＥ通信ネットワークにおけるポジショニング（測位）は、ＬＴＥ測位プロトコル（ＬＰＰ）を介したＵＥとロケーションサーバ、たとえば、拡張サービングモバイルロケーションセンタ（Ｅ−ＳＭＬＣ）との間の直接対話を用いて、図１Ａに概略的に示されるアーキテクチャによってサポートされる。さらに、無線リソース制御（ＲＲＣ）プロトコルを介したｅＮｏｄｅＢとＵＥ間の相互作用によってある程度サポートされる、ＬＰＰａプロトコルを介したロケーションサーバとｅＮｏｄｅＢ間の相互作用も存在する。
【０００７】
ＵＥ測位は、大規模な商用アプリケーション（たとえば、インテリジェント輸送、娯楽、産業自動化、ロボット工学、遠隔操作、ヘルスケア、スマートフォンパーキングなど）の可能性、ならびに米国連邦通信委員会（ＦＣＣ）拡張９９１（Ｅ９１１）要件との関連性のために、ＬＴＥネットワークの重要な特徴として認識されている。
【０００８】
ＬＴＥネットワークは広範囲の測位方式に対応している。全球衛星測位システム（ＧＮＳＳ）は、広く使用されている測位方法の１つであり、多くの異なった衛星システムの総称であり、全球測位システム（ＧＰＳ）は、様々な装置によって最も一般的にサポートされているものであり、ＧＬＯＮＡＳＳ、Ｇａｌｉｌｅｏ、ＢｅｉＤｏｕ、およびＱＺＳＳは他の例である。さらに、衛星システムは、一般に衛星ベース補強システム（ＳＢＡＳ）と呼ばれるＵＥへの補強データを提供するために使用することもできる。
【０００９】
ＧＮＳＳテクノロジーの最近の拡張は、非常に正確な測位のためのサポートを含み、ここで、装置、たとえば、端末は、ネットワークノードと対話して、固有の測位修正情報を得ることができる。これらの多くは、海事サービスのための無線技術委員会（ＲＴＣＭ）の仕様書によって支配されている。１つの例は、リアルタイムキネマティック（ＲＴＫ）  ＧＮＳＳであり、これは、１つ以上の基準局からの情報に基づく支援データと共に、コード位相のみではなく、個々の衛星からのＧＮＳＳ信号の搬送波位相測定値を利用することによって、リアルタイムで、数メートルレベルから数１０センチメートルレベルへ、またはさらにはセンチメートルレベルへの測位精度の改善をリアルタイムで可能にする差動ＧＮＳＳ測位技術である。したがって、ＬＴＥネットワークにおけるＲＴＫ  ＧＮＳＳに対するサポートが提供されるべきであり、３ＧＰＰリリース１５作業項目において標準化されている。ＬＴＥネットワークにおけるＵＥベースのＧＮＳＳ  ＲＴＫのサポートは、ＲＴＫ支援データをＵＥに報告することを含む。支援データは、より一般的な、支援されるＧＮＳＳ、ＯＴＤＯＡ情報など、他の種類の測位支援データも含みうる。
【００１０】
ＵＥに測位支援データを提供するための２つのオプションが標準化されている。第１の選択肢は、システム情報を測位システム情報で拡張することによって、基地局などの無線ネットワークノードから測位支援データをブロードキャストすることである。第２のオプションは、ユニキャストを介して、たとえばＬＰＰを介して、各ＵＥに個別に測位支援データを送信することである。さらに、ＵＥは、ユニキャストの別の例として、アプリケーション層を介してＲＴＫサーバと直接対話することもできる。
【００１１】
ブロードキャストの場合、測位支援データは、様々な測位支援データ部分、または測位システム情報ブロック（ｐＳＩＢ）タイプに分離され得る。位置情報サーバは、測位支援データ部分を用意し、それらを別々に符号化し、オプションでそれらを個別に暗号化し、基地局のような無線ネットワークノードに送る。測位支援データ部分は、ｐＳＩＢにマッピングされる。１つ以上のｐＳＩＢは、ｐＳＩＢ（ｐＳＩＭ）を伴うＳＩメッセージの中で、基地局などの無線ネットワークノードによってブロードキャスト可能である。したがって、ｐＳＩＭは、１つ以上のｐＳＩＢを備えるＳＩメッセージである。ｐＳＩＢが大きすぎて単一のＳＩメッセージに収まらない場合、ネットワークノードのＮＮによってセグメント化されてもよく、符号化した後、たとえばオクテットストリングセグメンテーションの後か、または、ネットワークノードのＮＮが、符号化の前、たとえば擬似セグメンテーションの前に、測位支援データ部分を複数のセグメントへセグメント化してもよい。これらの場合、複数のセグメントは、同じｐＳＩＢタイプにマッピングされるが、異なるセグメントとして示される。
【００１２】
現行のシステム情報ブロードキャストでは、スケジューリング情報もブロードキャストされる。１つ以上のＳＩＢを含むＳＩメッセージごとに、基地局などの無線ネットワークノードはＳＩ周期を構成（設定）し、ＳＩウィンドウはすべてのＳＩＢについて同じである。デバイス、たとえば、ＵＥは、ＳＩウィンドウ内の送信されたデータブロックの中のＳＩＢを識別するために使用されるＳＩ識別情報を取り出す（抽出する）。
【００１３】
測位情報ブロードキャストのための現在の技術水準は、ＳＩメッセージごとにＳＩ周期を構成することである。ＳＩＢが大きすぎる（商用移動体警報システム（ＣＭＡＳ）警告を備えるためにＬＴＥのＳＩＢ１２にのみ適用可能である）ケースでは、ＳＩＢはセグメント化され、それぞれのセグメントは、別個のＳＩ期間で送信され、別個のＳＩウィンドウでスケジューリングされ、ほぼＳＩ周期によって時分割される。
【００１４】
さらに、図１Ｂに示すように、各ＳＩウィンドウ内に１つのＳＩメッセージのみをスケジューリングすることができる。図１Ｂは、ＳＩメッセージｘおよびｙのスケジューリングを概略的に示し、ＳＩメッセージｘの周期はＳＩメッセージｙの周期の半分である。図１Ｂにおいて、ＳＩメッセージｘはＳＩｘと表記され、ＳＩメッセージｙはＳＩｙと表記される。
【００１５】
３ＧＰＰ  ＲＲＣ仕様３６．３３１、セクション５．２．３から、ＳＩメッセージのためのＳＩウィンドウの開始を決定する方法の説明が知られている：
１＞関係するＳＩメッセージのＳＩウィンドウの開始を以下のように決定する：
２＞関係するＳＩメッセージについて、ＳｙｓｔｅｍＩｎｆｏｒｍａｔｉｏｎＢｌｏｃｋＴｙｐｅ１（システム情報ブロックタイプ１）のｓｃｈｅｄｕｌｉｎｇＩｎｆｏＬｉｓｔ（スケジューリング情報リスト）によって構成されたＳＩメッセージのリスト内のエントリの順序に対応する数ｎを決定する；
２＞  整数値ｘ  ＝  （ｎ−１）＊ｗ  を決定する。ただし、ｗ  はＳＩウィンドウの長さｓｉ−ＷｉｎｄｏｗＬｅｎｇｔｈ  である；
２＞ＳＩウィンドウは、サブフレーム＃ａでスタートし、ここで、システムフレーム番号（ＳＦＮ）  ｍｏｄ  Ｔ  ＝  ＦＬＯＯＲ（ｘ／１０）である無線フレームにおいては、ａ  ＝  ｘ  ｍｏｄ  １０であり、Ｔは、関係するＳＩメッセージのｓｉ−Ｐｅｒｉｏｄｉｃｉｔｙである；
メモ：Ｅ−ＵＴＲＡＮ  は、ＳＦＮ  ｍｏｄ  ２  ＝  ０である無線フレームにおいて、すべてのＳＩが、サブフレーム＃５より前のサブフレームにスケジューリングされている場合にのみ、１ｍｓのＳＩウィンドウを設定する必要がある。
【００１６】
第１のＳＩＢであるＳＩＢ１のコンテンツは、セルアクセスを評価しているときにＵＥを支援することができ、ＳＩＢ１のコンテンツは、他のシステム情報のスケジューリングを定義することもできる。ＳＩＢ１が２０ｍｓ毎にスケジューリングされ、残りのＳＩＢが８０ｍｓ以上の周期でスケジューリングされた場合、すでにスケジューリングされた多くのＳＩウィンドウが存在することになる。ＳＩウィンドウあたりで１つのＳＩメッセージのみがスケジューリングされ得るという制限が与えられると、測位ＳＩＢのための残りのリソースは、かなり制限される。１つの典型的な例では、ＳＩウィンドウ長は１０ｍｓ  （ｗ）であり、第１のＳＩメッセージ（ｎ＝１）は８０ｍｓ毎に送信され、第２のＳＩメッセージ（ｎ＝２）は１６０ｍｓ毎に送信される。
【００１７】
・第１のＳＩメッセージの第１のＳＩウィンドウは、ＳＦＮ  ｍｏｄ  ８  ＝  ０である無線フレームにおいて、ａ＝０  ｍｏｄ  １０  ＝  ０であるサブフレーム＃ａでスタートし、すなわち、第１のＳＩメッセージは、ＳＦＮ  ＝  ０、８、１６、．．．でスタートする、１０ｍｓのＳＩウィンドウにおいてブロードキャストされる。
・第２のＳＩメッセージの第１のＳＩウィンドウは、ＳＦＮ  ｍｏｄ  １６  ＝  １である無線フレームにおいて、ａ＝１０  ｍｏｄ  １０＝０であるサブフレーム＃ａでスタートし、すなわち、第２のＳＩメッセージは、ＳＦＮ  １、１７、３３、．．．でスタートする、１０ｍｓのＳＩウィンドウでブロードキャストされる。たとえば、１０ｍｓのウィンドウ長では、スイート内の最初のメッセージがすべて連続するＳＩウィンドウ内で同時に整列するため、追加の６つのＳＩメッセージのみをスケジューリングすることができる。
【００１８】
レガシーのＳＩメッセージでは、ＣＭＡＳシステム情報はセグメント化されてもよい。ＳＩ周期あたりでただ１つのＳＩＢタイプがサポートされるため、長い周期および複数のセグメントの場合、獲得時間は非常に長くなり得る。測位ＳＩＢはまた、支援データ要素タイプごとにいくつかのセグメントを有するセグメント化を受けることができ、潜在的に長い獲得時間をもたらす。
【発明の概要】
【００１９】
ＬＴＥ  リリース１５の正確な測位作業項目の１つの目的は、支援データ（ＡＤ）のブロードキャストをサポートするための新しいＳＩＢを規定することである。たとえば、支援データのブロードキャストは、３ＧＰＰ技術仕様グループＲＡＮ（無線アクセスネットワーク）レイヤ２および３：  ＲＡＮ２およびＲＡＮ３、並びに、サービスおよびシステム観点についての３ＧＰＰ技術仕様グループＳＡ３およびＳＡ２において説明されている。さらに、Ａ−ＧＮＳＳ、ＲＴＫ、およびＵＥベースのＯＴＤＯＡ支援情報のための測位支援情報のシグナリングをサポートするために新しいＳＩＢを規定するとともに、ＵＥ固有の暗号鍵の配信のためのメカニズムを含む、ブロードキャスト支援データのためのオプションの暗号化手順を規定するために、標準化作業が実行されなければならない。
【００２０】
本明細書の実施形態を発展させる一部として、まず、課題が特定され、話題とされる。
【００２１】
測位ＳＩＢ（ｐＳＩＭ）によるＳＩメッセージのスケジューリングを用いてレガシーＳＩメッセージのスケジューリングを拡張することは、決定的にリソースを制限してしまい、スケジューリング可能なｐＳＩＭの数を制限してしまう。
【００２２】
「レガシー」という用語は、本明細書で使用される場合、ＳＩメッセージが新しいスケジューリングのために拡張されている従来の手順を意味する。
【００２３】
したがって、本明細書の実施形態の目的は、ｐＳＩＢのスケジューリングを改善することによって、無線通信ネットワークのパフォーマンスを改善することである。
【００２４】
本明細書で開示されるいくつかの実施形態によれば、ＳＩＢブロードキャストのための遅延を最小化するための方法が提供される。さらに、いくつかの実施形態によれば、１つ以上のｐＳＩＭ、すなわち、１つ以上のｐＳＩＢを備える１つ以上のＳＩメッセージは、固有の測位システム情報スケジューリング情報（ｐＳＩ）の対象であると仮定され、その専用の挙動は、ｐＳＩＭの処理、スケジューリング、および受信のために設計される。特に、本明細書で開示される実施形態は、ｐＳＩＭのスケジューリングキャパシティを増加させるためのスケジューリング拡張を定義する。
【００２５】
本明細書で開示される実施形態の利点は、ｐＳＩＭスケジューリングのキャパシティが増加し、より多くの測位支援データがブロードキャストされることを可能にすることである。たとえば、より多くの測位支援データは、従来技術と比較して、ＳＩウィンドウ内、すなわちより短い期間内にブロードキャストされうる。その結果、ある期間内のｐＳＩＢの送信は、従来技術と比較して増加し、したがって、ｐＳＩＢを送信する際の遅延は、従来技術と比較して減少する。
【００２６】
本明細書の実施形態の一態様によれば、この目的は、無線ネットワークノードからスケジューリングされた測位システム情報を受信するための無線デバイスによって実行される方法によって達成される。無線デバイスと無線ネットワークノードは無線通信ネットワークで動作する。
【００２７】
無線デバイスは、無線ネットワークノードから測位システム情報スケジューリング情報（ｐＳＩ）を受信する。
【００２８】
さらに、無線デバイスは、無線ネットワークノードから、スケジューリングオフセットと、ＳＩウィンドウあたりの測位システム情報ブロック（ｐＳＩＭ）を有するいくつかのシステム情報メッセージとのうちの少なくとも１つを受信する。
【００２９】
さらに、無線デバイスは、ｐＳＩに基づいて、また、スケジューリングオフセットおよびＳＩウィンドウあたりのｐＳＩＭの個数のうちの少なくとも１つに基づいて、１つ以上のｐＳＩＭが、どのサブフレームにおいて、無線ネットワークノードによってスケジューリングされるかを決定する。
【００３０】
この無線デバイスでは、１つ以上のｐＳＩＭを受信するために、１つ以上のｐＳＩＭの決定されたスケジューリングが使用される。
【００３１】
本明細書の実施形態の別の態様によれば、この目的は、無線ネットワークノードからスケジューリングされた測位システム情報を受信するための無線デバイスによって達成される。無線デバイスと無線ネットワークノードは、無線通信ネットワークで動作するように構成される。
【００３２】
無線デバイスは、無線ネットワークノードから測位システム情報スケジューリング情報（ｐＳＩ）を受信するように構成される。
【００３３】
さらに、無線デバイスは、無線ネットワークノードから、スケジューリングオフセットと、ＳＩウィンドウごとに測位システム情報ブロック（ｐＳＩＭ）を有するいくつかのシステム情報メッセージとのうちの少なくとも１つを受信するように構成される。
【００３４】
さらに、無線デバイスは、ｐＳＩに基づいて、また、スケジューリングオフセットおよびＳＩウィンドウあたりのｐＳＩＭの個数のうちの少なくとも１つに基づいて、無線ネットワークノードによって１つ以上のｐＳＩＭがどのサブフレームにおいてスケジューリングされるかを決定するように構成される。
【００３５】
無線デバイスは、１つ以上のｐＳＩＭを受信するために、１つ以上のｐＳＩＭの決定されたスケジューリングを使用するように構成される。
【００３６】
本明細書の実施形態の別の態様によれば、この目的は、スケジューリングされた測位システム情報を無線デバイスに送信するために無線ネットワークノードによって実行される方法によって達成される。無線ネットワークノードと無線デバイスは無線通信ネットワークにおいて動作する。
【００３７】
無線ネットワークノードは、１つ以上の測位システム情報ブロック（ｐＳＩＢ）を取得する。
【００３８】
さらに、無線ネットワークノードは、測位システム情報ブロック（ｐＳＩＭ）を有する１つ以上のシステム情報メッセージをコンパイル（組み立て）して、１つ以上のｐＳＩＢを構成する。
【００３９】
さらに、無線ネットワークノードは、スケジューリングオフセットおよびＳＩウィンドウあたりのｐＳＩＭの個数のうち少なくとも１つを考慮して、１つ以上のｐＳＩＭの測位システム情報スケジューリング情報（ｐＳＩ）を決定する。無線ネットワークノードは、１つ以上のｐＳＩＭについての決定されたｐＳＩと、スケジューリングオフセットおよびｐＳＩＭの個数のうちの少なくとも１つとをブロードキャストする。
【００４０】
さらに、無線ネットワークノードは、決定されたｐＳＩに従って１つ以上のｐＳＩＭをスケジューリングして、送信する。
【００４１】
本明細書の実施形態の別の態様によれば、この目的は、スケジューリングされた測位システム情報を無線デバイスに送信するための無線ネットワークノードによって達成される。無線ネットワークノードと無線デバイスは、無線通信ネットワークにおいて動作するように構成されている。
【００４２】
無線ネットワークノードは、１つ以上の測位システム情報ブロック（ｐＳＩＢ）を取得するように構成される。
【００４３】
さらに、無線ネットワークノードは、測位システム情報ブロック（ｐＳＩＭ）を有する１つ以上のシステム情報メッセージをコンパイルして、１つ以上のｐＳＩＢを含めるように構成される。
【００４４】
さらに、無線ネットワークノードは、スケジューリングオフセットおよびＳＩウィンドウあたりのｐＳＩＭの個数のうちの少なくとも１つを考慮して、１つ以上のｐＳＩＭの測位システム情報スケジューリング情報（ｐＳＩ）を決定するように構成される。
【００４５】
無線ネットワークノードは、１つ以上のｐＳＩＭの決定されたｐＳＩと、スケジューリングオフセットおよびｐＳＩＭの個数のうちの少なくとも１つと、をブロードキャストするように構成される。
【００４６】
さらに、無線ネットワークノードは、決定されたｐＳＩに従って１つ以上のｐＳＩＭをスケジューリングして送信するように構成される。
【００４７】
本明細書の実施形態の別の態様によれば、目的は、無線デバイスの少なくとも１つのプロセッサによって実行されると、無線デバイスの少なくとも１つのプロセッサに本明細書に記載の動作の１つ以上を実行させる命令を含むコンピュータプログラムによって達成される。
【００４８】
本明細書の実施形態の別の態様によれば、この目的は、無線ネットワークノードの少なくとも１つのプロセッサによって実行されるときに、無線ネットワークノードの少なくとも１つのプロセッサに、本明細書で説明されるアクションのうちの１つ以上を実行させる命令を備えるコンピュータプログラムによって達成される。
【００４９】
本明細書の実施形態の別の態様によれば、オブジェクトは、それぞれのコンピュータプログラムを有するキャリアによって達成され、当該キャリアは、電子信号、光信号、電磁信号、磁気信号、電気信号、無線信号、マイクロ波信号、またはコンピュータ可読記憶媒体のうちの１つである。
【００５０】
無線ネットワークノードは、スケジューリングオフセットとＳＩウィンドウあたりのｐＳＩＭの数と、のうちの少なくとも１つを考慮して１つ以上のｐＳＩＭのｐＳＩを決定するように構成されるため、無線ネットワークノードは、１つ以上のｐＳＩＭの決定されたｐＳＩと、スケジューリングオフセットおよびｐＳＩＭの数のうちの少なくとも１つと、をブロードキャストするように構成され、無線ネットワークノードは、決定されたｐＳＩに従って１つ以上のｐＳＩＭをスケジューリングして送信するように構成されるため、１つ以上のｐＳＩＭは、従来技術のシステムと比較してより短い期間内にブロードキャストされ、それによって、ｐＳＩＢを送信するための遅延を低減する。
【図面の簡単な説明】
【００５１】
本明細書の実施形態の例は、添付の図面を参照してより詳細に説明される。
【００５２】
【図１Ａ】従来技術による測位をサポートするＬＴＥ通信ネットワークを示す概略ブロック図である。
【００５３】
【図１Ｂ】は、従来技術によるＳＩメッセージのスケジューリングを概略的に示す図である。
【００５４】
【図２】は、無線通信ネットワークの実施形態を示す概略ブロック図である。
【００５５】
【図３】は、無線通信ネットワークの実施形態を示す概略ブロック図である。
【００５６】
【図４】は、無線デバイスにおける方法の実施形態を示すフローチャートである。
【００５７】
【図５】は、無線デバイスの実施形態を示す概略構成図である。
【００５８】
【図６】は、無線ネットワークノードにおける方法の実施形態を示すフローチャートである。
【００５９】
【図７】は、無線ネットワークノードの実施形態を示す概略構成図である。
【００６０】
【図８】図８ａは、スケジューリングオフセットを使用した測位ＳＩＢ（ｐＳＩＭ）ＳＩｚを用いたＳＩメッセージのスケジューリングを概略的に示す図である。
【００６１】
図８ｂは、レガシーＳＩメッセージＳＩｘを備えるＳＩウィンドウにおけるｐＳＩＭＳＩｚのスケジューリングを概略的に示す図である。
【００６２】
【図９】は、中間ネットワークを介してホストコンピュータに接続された電気通信ネットワークを概略的に示す図である。
【００６３】
【図１０】は、基地局を介して、部分無線コネクションを介してユーザ機器と通信するホストコンピュータの一般化されたブロック図である。
【００６４】
【図１１】から、
【図１２】、
【図１３】、
【図１４】は、ホストコンピュータ、基地局、およびユーザ装置を有する通信システムにおいて実施される方法を示すフローチャートである。
【発明を実施するための形態】
【００６５】
本明細書の実施形態は、ＧＮＳＳ、ＲＴＫ、ポジショニング、ＳＩＢを参照することがある。
【００６６】
図２は、無線通信ネットワークの論理的エンティティをより一般的な用語で示している。ターゲットデバイスまたはＵＥ１０、１２０は、無線ネットワークノード（ＲＮＮ）、典型的には無線基地局２０、１１０によって、しかし、より一般的用語では、送信ポイント、無線ヘッド、セルｅＮＢ、ｇＮＢなどによって、ＳＩメッセージ内の測位ＳＩＢ（ｐＳＩＢ）としてブロードキャストされる測位支援データ要素によってサポートされる測位測定を実行するエンティティである。ブロードキャストされる情報は、ネットワークノード（ＮＮ）３０、１３２によって準備されるが、これは、ロケーションサーバ、拡張サービングモバイルロケーションセンタ（Ｅ−ＳＭＬＣ）、ロケーションマネージメント機能（ＬＭＦ）などである。オプションで、ブロードキャストのための測位支援データは、ＮＮ３０、１３２で暗号／暗号化されてもよく、その場合、復号／復号化鍵がＮＮ３０、１３２から移動ネットワークノード（ＭＮＮ）４０、１３０に送信される。ＭＮＮ４０、１３０は、ＥＰＣにおけるモビリティマネージメントエンティティ（ＭＭＥ）、または５Ｇコアにおけるアクセスアンドモビリティファンクション（ＡＭＦ）、または他のコアネットワークノードであってもよい。暗号化されたデータの場合、ＵＥ１０、１２０は、ＭＮＮ４０、１３０から復号／復号化キーを取得する。
【００６７】
本明細書の実施形態は、ＬＴＥ無線デバイスでほとんど例示されるが、ＣＡＴ−Ｍ、ＮＢ−ＩｏＴ、ＷｉＦｉ、またはＮＲキャリアなどの他の無線アクセス技術によって提供される他の無線デバイスにも適用可能である。
【００６８】
本明細書の実施形態は、一般に無線通信ネットワークに関する。図３は、本明細書の実施形態を実施することができる無線通信ネットワーク１００を示す概略図である。無線（ワイヤレス）通信ネットワーク１００は、無線（レディオ）通信ネットワークと呼ばれてもよい。無線通信ネットワーク１００は、１つ以上の無線アクセスネットワーク（ＲＡＮ）と１つ以上のコアネットワーク（ＣＮ）とから構成される。無線通信ネットワーク１００は、いくつかの実現例を挙げると、ＮＢ−ＩｏＴ、ＣＡＴ−Ｍ、Ｗｉ−Ｆｉ、ｅＭＴＣ、ロングタームエボリューション（ＬＴＥ）、ＬＴＥ−Ａｄｖａｎｃｅｄ、５Ｇ、ニューレディオ（ＮＲ）、ワイドバンド符号分割多元接続（ＷＣＤＭＡ）、移動体通信のためのグローバルシステム／ＧＳＭエボリューションのための拡張データレート（ＧＳＭ／ＥＤＧＥ）、マイクロウエーブアクセスのためのワールドワイドインターオペラビリティ（ＷｉＭａｘ）、または、ウルトラモバイルブロードバンド（ＵＭＢ）などがあるが、これは可能な実装のほんの一部に言及したにすぎない。本開示において、無線通信ネットワーク１００は、単に、ネットワークと呼ばれることもある。
【００６９】
無線デバイス、たとえば、第１のＵＥ１２０とも呼ばれる無線デバイス１０、１２０は、無線通信ネットワーク１００内で動作している。１つ以上の第２のＵＥ１２２とも呼ばれる１つ以上のさらなる無線デバイス１２２は、無線通信ネットワーク１００において動作し得る。図３に概略的に示すように、無線デバイス１２０、１２２は、ネットワークノード、たとえば、以下に説明するネットワークノード１１０と通信することができる。
【００７０】
無線デバイス１２０、１２２は、それぞれ、たとえば、移動局、非アクセスポイント（非ＡＰ）ＳＴＡ、ＳＴＡ、ユーザ装置および／または無線端末、ＮＢ−ＩｏＴデバイス、拡張マシンタイプコミュニケーション（ｅＭＴＣ）デバイスおよびカテゴリＭ（ＣＡＴ−Ｍ）デバイス、ＷｉＦｉデバイス、ＬＴＥデバイス、およびＮＲデバイスが、１つ以上のアクセスネットワーク（ＡＮ）、たとえば、ＲＡＮを介して１つ以上のコアネットワーク（ＣＮ）と通信することができる。「無線デバイス」は、任意の端末、無線通信端末、ユーザ装置、デバイスツーデバイス（Ｄ２Ｄ）端末、またはノード、たとえば、スマートフォン、ラップトップ、携帯電話、センサ、中継器、モバイルタブレット、またはセル内で通信する小型基地局を意味する非限定的な用語であることを当業者は理解されたい。
【００７１】
ネットワークノードは、第１のネットワークノード１１０とも呼ばれる無線ネットワークノード２０、１１０のような無線通信ネットワーク１００内で動作する。ネットワークノード１１０、すなわち無線ネットワークノード２０、１１０は、１つ以上の地理的領域、たとえば１つ以上のサービスエリア１１にわたって無線カバレッジを提供し、これは、５Ｇ、ＬＴＥ、Ｗｉ−Ｆｉ、ＮＢ−ＩｏＴ、ＣＡＴ−Ｍ、Ｗｉ−Ｆｉ、ｅＭＴＣなど、第１の無線アクセス技術（ＲＡＴ）のセル、ビームまたはビームグループとも呼ばれ得る。ネットワークノード１１０は、たとえば、無線アクセスネットワードノードなどの、送受信ポイントであってもよく、無線ローカルエリアネットワーク（ＷＬＡＮ）アクセスポイントまたはアクセスポイントステーション（ＡＰ  ＳＴＡ）などや、アクセスコントローラ、基地局、たとえばノードＢ、進化したノードＢ（ｅＮＢ、ｅノードＢ）、ｇＮＢ、ベーストランシーバ局、無線リモートユニット、アクセスポイント基地局、基地局ルータ、無線基地局の送信アレンジメント、スタンドアロンアクセスポイントなどの無線基地局、または、ネットワークノード１１０によって、つまり、たとえば、使用される無線アクセス技術および用語によるが、無線ネットワークノード２０、１１０によって、サービスを提供されるサービスエリア内の無線デバイスと通信することができるまたは他のネットワークユニットであってもよい。ネットワークノード１１０、すなわち無線ネットワークノード２０、１１０は、サービング無線ネットワークノードと呼ばれてもよく、無線デバイス１２０、１２２へのダウンリンク（ＤＬ）送信および無線デバイス１２０、１２２からのアップリンク（ＵＬ）送信で無線デバイス１２０、１２２と通信する。
【００７２】
さらなるネットワークノードは、無線通信ネットワーク１００内で動作し、第２のネットワークノード１３０とも呼ばれるモビリティネットワークノード４０、１３０などである。ネットワークノード１３０は、ＬＴＥアクセスネットワーク、サービングゲートウェイ（ＳＧＷ）、およびパケットデータネットワークゲートウェイの制御ノードであるＭＭＥであってもよい。ＭＭＥは、再送信を含む、トラッキングとページングプロシージャを担当する他の機能のひとつである。また、ネットワークノード１３０は、オペレーションおよびサポートシステム・無線およびコア（ＯＳＳ−ＲＣ）ノード、またはエリクソンネットワークマネージメント（ＥＮＭ）ノードなどの、運用および保守（ＯＡＭ）ノードであってもよい。
【００７３】
ロケーションサーバ３０、１３２、測位サーバ１３４などのさらなるネットワークノードは、無線通信ネットワーク１００内で動作する。たとえば、ロケーションサーバ３０、１３２はＥ−ＳＭＬＣであってもよく、測位サーバ１３４はＲＴＫサーバであってもよい。ロケーションサーバ１３２と測位サーバ１３４は、通信インターフェースを介して互いに通信することができる。
【００７４】
測位サーバ１３４は、無線通信ネットワーク１００の外部に配置されてもよく、このようなシナリオでは、測位サーバ１３４は、外部測位サーバ１３２と呼ばれてもよく、ロケーションサーバ１３２と測位サーバ１３４は、ＩＰインターフェースを介して通信してもよいことが理解されるべきである。
【００７５】
測位サーバ１３４は、ここではＲＴＫサーバまたはＲＴＫネットワークプロバイダと呼ばれることもある。
【００７６】
本明細書の実施形態による方法は、たとえば、ｅＮＢのようなネットワークノード１１０、たとえば、ＵＥのような無線デバイス１２０、モビリティネットワークノード１３０、ロケーションサーバ１３２のいずれかによって、および／または、測位サーバ１３４によって実行されてもよい。代替として、たとえば、図３に示されるようなクラウド１４０に含まれる分散ノード（ＤＮ）および機能が、方法を実行するために、または部分的に実行するために使用されてもよい。
【００７７】
本明細書のいくつかの実施形態の動作
【００７８】
たとえば、スケジューリングされた測位システム情報を受信するために、無線デバイス１０、１２０によって実行される方法の実施形態を示すフローチャートの一例が、図４に示されており、これは以下でより詳細に説明される。上述したように、無線デバイス１０、１２０および無線ネットワークノード２０、１１０は、無線通信ネットワーク１００内で動作する。この方法は、以下の動作のうちの１つ以上を含むことができ、これらの動作は、任意の適切な順序で行うことができる。さらに、１つ以上のアクションは、オプションであってもよく、アクションは、組み合わせられてもよいことを理解されたい。
【００７９】
アクション４０１において、無線デバイス１０、１２０は、無線ネットワークノード２０、１１０から測位システムブロードキャストスケジューリング詳細（ｐＳＩ）を検索または受信する。したがって、図４に記載されたネットワークノードは、図３に示された無線ネットワークノード２０、１１０であってもよい。
【００８０】
以下のアクション４０３および４０４で説明するように、ｐＳＩは、１つ以上のｐＳＩＢ（ｐＳＩＭ）を含む１つ以上のＳＩメッセージがＲＮＮ２０、１１０によってスケジューリングされるサブフレームを決定し、１つ以上のｐＳＩＭを受信するために、無線デバイス１０、１２０によって使用される。以下で説明されるように、ｐＳＩＭは、１つ以上のｐＳＩＢを有してもよく、各ｐＳＩＢは、測位支援データの１つ以上のセグメントを有してもよく、これは無線デバイス１０、１２０によって無線デバイス１０、１２０の位置を決定するために使用されてもよい。
【００８１】
測位システム情報ブロードキャストスケジューリング詳細ｐＳＩという用語は、しばしば、本開示において、測位システム情報スケジューリング情報（ｐＳＩ）、測位ＳＩＢスケジューリング情報、または単なるスケジューリング情報と呼ばれることがある。これらの用語は、置換可能に使用されてもよいことを理解されたい。したがって、ｐＳＩは、測位システム情報ブロック（ｐＳＩＢ）に関連するスケジューリング情報など、測位システム情報に関連するスケジューリング情報を含む。１つ以上のｐＳＩＢは、１つ以上のｐＳＩＢ（ｐＳＩＭ）を含むＳＩメッセージに、含まれてもよいため、ｐＳＩは、１つ以上のｐＳＩＭに関連するスケジューリング情報を含むと言うこともできる。したがって、ｐＳＩは、ｐＳＩＭに含まれる１つ以上のｐＳＩＢに関する情報、または１つ以上のｐＳＩＭがどのようにスケジューリングされるかに関する情報を、含むことができる。さらに、３ＧＰＰ  ＲＲＣ仕様書について提案された更新に関連する以下のテキストでは、スケジューリング情報は、ＳｙｓｔｅｍＩｎｆｏｒｍａｔｉｏｎｂｌｏｃｋＴｙｐｅ１のｐｏｓＳｃｈｅｄｕｌｉｎｇＩｎｆｏＬｉｓｔによって与えられることが記載されている。
【００８２】
いくつかの実施形態では、各ｐＳＩＭは、１つ以上のｐＳＩＢを含み、各ｐＳＩＢは、測位支援データの１つ以上のセグメントを含む。
【００８３】
ｐＳＩは、ｐＳＩＢタイプごとの全球衛星測位システム識別情報（ＧＮＳＳ  ＩＤ）と、それぞれのｐＳＩＭの１つ以上のｐＳＩＢが暗号化されているかどうかのインジケーションと、のうちの１つ以上を含んでもよい。
【００８４】
さらに、ＳＩウィンドウあたりのｐＳＩＭの個数は、ＳＩウィンドウ内のＳＩメッセージの後にスケジューリングされているＰＳＩＭの個数を示すことができる。
【００８５】
アクション４０２において、無線デバイス１０、１２０は、ＲＮＮ２０、１１０から、ＳＩウィンドウごとに、スケジューリングオフセットおよび／または測位ＳＩＢを有するいくつかの追加のＳＩメッセージ、すなわちいくつかの追加のｐＳＩＭのうちの少なくとも１つを取り出すか、または受信する。これにより、無線デバイス１０、１２０は、使用されるオフセット、および／または、追加のｐＳＩＭが存在するかどうか、についての情報を取得するであろう。
【００８６】
以下で説明されるように、たとえば、アクション６０３において、スケジューリングオフセットは、８０ミリ秒の最も短いＳＩ周期内における、測位ＳＩＢのＳＩメッセージの別のスタート位置を示すインジケーションであってもよい。ｐＳＩＭの別のスタート位置は、スケジューリングオフセットによって示されるオフセットだけシフトされたベーススタート位置によって与えられてもよい。オフセットは、数個のサブフレームであってもよい。スケジューリングオフセットは、ｐＳＩＭの別のスタート位置のインジケーションであり得るため、スケジューリングオフセットは、スタート位置をシフトするときに使用するためのオフセットについてのいかなる情報も含む必要がないことを理解されたい。代わりに、スケジューリングオフセットは、シフトされたスタート位置を示すことができることを理解されたい。したがって、スケジューリングオフセットは、事前に定義された、事前構成された、および／または、事前に決定されたオフセットが、ベースの、または通常の、スタート位置をシフトするために使用されるべきであることを示すことができる。１．１節では、８個のサブフレーム相当のオフセットが提案されている。
【００８７】
いくつかの実施形態では、スケジューリングオフセットは、シフトされたスタート位置のインジケーションである。スケジューリングオフセットは、ＳＩ周期に等しくてもよい。たとえば、ＳＩ周期は、８サブフレームであってもよい。
【００８８】
アクション４０３において、無線デバイス１０、１２０は、取得された情報を含む取得された情報に基づいて、たとえば、どのサブフレームにおいて、ｐＳＩＭがＲＮＮ２０、１１０によってスケジューリングされるかを決定する。たとえば、上記のアクション４０１および４０２で得られたＳＩウィンドウごとの、ｐＳＩ、スケジューリングオフセット、および／または追加のｐＳＩＭの個数、すなわち、測位ＳＩＢを有する追加のＳＩメッセージに基づいて、無線デバイス１０、１２０は、ｐＳＩＭがＲＮＮ２０、１１０によってスケジューリングされる位置を決定する。したがって、無線デバイス１０、１２０は、１つ以上のｐＳＩＭがどのサブフレームにおいて無線ネットワークノード２０、１１０によってスケジューリングされるかを、ｐＳＩに基づいて、かつスケジューリングオフセット、およびＳＩウィンドウあたりのｐＳＩＭの数のうちの少なくとも１つに基づいて、決定する。
【００８９】
上述したように、ｐＳＩＭは、１つ以上のｐＳＩＢを含むＳＩメッセージである。
【００９０】
いくつかの実施形態では、無線デバイス１０、１２０は、ＳＦＮ  ｍｏｄ  Ｔ＝Ｆｌｏｏｒ（ｘ／１０）＋８である無線フレームにおいて、ａ＝  ｘ  ｍｏｄ  １０としてｐＳＩＭのスタートサブフレーム番号ａを決定することによって、ｐＳＩおよびスケジューリングオフセットに基づき１つ以上のｐＳＩＭがどのサブフレームにおいてスケジューリングされるかを決定し、ここで、ＳＦＮはシステムフレーム番号であり、ＴはｐＳＩＭのＳＩ周期であり、８はスケジューリングオフセットによって示され、ｘはｘ＝  ｍ＊Ｗｍ  ＋（ｎ−１）＊ｗｎによって与えられる整数値であり、ここで、ｍはＳＩメッセージの数であり、ｗｍはＳＩメッセージのウィンドウ長であり、ｎはｐＳＩＭのリスト内のエントリの順番を与えるもので、ｐＳＩによって与えられ、ｗｎはｐＳＩＭのウィンドウ長である。パラメータｗｎおよびｗｍは、同じ値に制限されてもよいことを理解されたい。したがって、ｐＳＩＭおよびＳＩメッセージは、同じウィンドウ長であってもよい。
【００９１】
代替的にまたは追加的に、いくつかの実施形態では、無線デバイス１０、１２０は、ＳＦＮ  ｍｏｄ  Ｔ＝Ｆｌｏｏｒ（ｘ／１０）である無線フレームにおいて、ｐＳＩＭについてのスタートサブフレーム番号ａを、ａ  ＝  ｘ  ｍｏｄ  １０として決定することによって、ｐＳＩと、ｐＳＩウィンドウあたりのｐＳＩＭの数とに基づいて、１つ以上のｐＳＩＭがスケジューリングされるサブフレームを決定し、ここでＳＦＮはシステムフレーム番号であり、ＴはｐＳＩＭのＳＩ周期であり、ｘはｘ  ＝  ＦＬＯＯＲ（（ｎ−１）／ｃ）＊ｗｎによって与えられる整数値であり、ここで、ｎは、ｐＳＩＭのリスト内のエントリーの順番を与えるものでｐＳＩによって与えられ、ｃは、ＳＩウィンドウあたりにスケジューリングされるｐＳＩＭの数であり、ｗｎは、ｐＳＩＭのウィンドウ長であるとして、。上述したように、パラメータｗｎおよびｗｍは、同じ値に制限されてもよいことを理解されたい。
【００９２】
アクション４０４において、無線デバイス１０、１２０は、１つ以上のｐＳＩＭ、すなわち、ｐＳＩＢを有するＳＩメッセージを受信するために、決定された情報を使用する。言い換えると、無線デバイス１０、１２０は、１つ以上のｐＳＩＭを受信するために、１つ以上のｐＳＩＭの決定されたスケジューリングを使用する。
【００９３】
アクション４０５において、無線デバイス１０、１２０は、ｐＳＩＭの情報を復号し、復号された情報を使用して測位を支援する。言い換えれば、無線デバイス１０、１２０は、ｐＳＩＭの情報を復号し、その情報を使用して、（衛星、セルラーエンティティ、他の無線デバイスなどからの）どの測位信号が利用可能であるか、どの無線リソースにおいて測位信号が送信されるかを決定するか、またはその位置を決定する。したがって、いくつかの実施形態では、無線デバイス１０、１２０は、受信された１つ以上のｐＳＩＭの情報を復号し、復号された情報を使用して、無線デバイス１０、１２０の測位を支援する。
【００９４】
無線デバイス１０、１２０は、たとえば、予定された測位システム情報を受信するための方法アクションを実行するために、図５に描かれたアレンジメントを含み得る。無線デバイス１２０は、たとえば、送信ユニット５０１、受信ユニット５０２、抽出ユニット５０３、決定ユニット５０４、モニタリングユニット５０５、復号ユニット５０６、および測位ユニット５０７を含み得る。上述したように、無線デバイス１０、１２０および無線ネットワークノード２０、１１０は、無線通信ネットワーク１００で動作するように構成される。
【００９５】
無線デバイス１０、１２０は、たとえば、送信ユニット５０１によって、通信ネットワーク１００内で動作する１つ以上のノードに信号、メッセージまたは情報を送信するように構成されている。送信ユニット５０１は、無線デバイス１０、１２０のプロセッサ５０９によって実装されてもよく、またはそれと通信可能なように配置されてもよい。プロセッサ５０８については、以下でより詳細に説明される。
【００９６】
無線デバイス１０、１２０は、たとえば、受信ユニット５０２によって、通信ネットワーク１００内で動作している１つ以上のノードからの信号、メッセージまたは情報を受信するように構成されている。受信ユニット５０２は、無線デバイス１０、１２０のプロセッサ５０９によって実装されてもよいし、またはそれと通信可能なように配置されてもよい。
【００９７】
無線デバイス１０、１２０は、無線ネットワークノード２０、１１０からｐＳＩを受信するように構成される。
【００９８】
さらに、無線デバイス１０、１２０は、無線ネットワークノード２０、１１０から、スケジューリングオフセットおよび／またはＳＩウィンドウあたりのｐＳＩＭの個数のうちの少なくとも１つを受信するように構成される。
【００９９】
上述したように、いくつかの実施形態では、各ｐＳＩＭは、１つ以上のｐＳＩＢを含み、各ｐＳＩＢは、測位支援データの１つ以上のセグメントを含む。また、上述したように、ｐＳＩは、ｐＳＩＢタイプあたりのＧＮＳＳ  ＩＤと、それぞれのｐＳＩＭの１つ以上のｐＳＩＢが暗号化されているかどうかのインジケーションと、のうちの１つ以上を含んでもよい。さらに、ＳＩウィンドウあたりのｐＳＩＭの数は、ＳＩウィンドウ内のＳＩメッセージの後にスケジューリングされるＰＳＩＭの数を示すことができる。
【０１００】
さらに、無線デバイス１０、１２０は、１つ以上のｐＳＩＭを受信するために、１つ以上のｐＳＩＭについて決定されたスケジューリングを使用するように構成される。
【０１０１】
無線デバイス１０、１２０は、たとえば、抽出ユニット５０３によって、通信ネットワーク１００内で動作する１つ以上のノードからのメッセージまたは情報を抽出するように構成されてもよい。抽出ユニット５０３は、無線デバイス１０、１２０のプロセッサ５０９によって実装されても、それと通信可能に配置されてもよい。
【０１０２】
無線デバイス１０、１２０は、上述の情報を受信する必要はなく、無線デバイス１０、１２０は、無線ネットワークノード２０、１１０から、ｐＳＩ、および、スケジューリングオフセットおよび／またはＳＩウィンドウあたりのｐＳＩＭの個数のうちの少なくとも１つを取り出すように構成されてもよいことを理解されたい。
【０１０３】
無線デバイス１０、１２０は、たとえば、決定ユニット５０４によって、１つ以上のｐＳＩＭのスケジューリング、すなわち、１つ以上のｐＳＩＭが無線ネットワークノード２０、１１０によってスケジューリングされる位置を決定するように構成される。決定ユニット５０４は、無線デバイス１０、１２０のプロセッサ５０９によって実装されてもよいし、またはそれと通信可能に配置されてもよい。
【０１０４】
したがって、無線デバイス１０、１２０は、１つ以上のｐＳＩＭがどのサブフレームにおいて無線ネットワークノード２０、１１０によってスケジューリングされるかを、ｐＳＩに基づいて、かつスケジューリングオフセット、およびＳＩウィンドウあたりのｐＳＩＭの数のうちの少なくとも１つに基づいて、決定するように構成される。
【０１０５】
上述したように、ｐＳＩＭは、１つ以上のｐＳＩＢを含むＳＩメッセージである。
【０１０６】
いくつかの実施形態では、無線デバイス１０、１２０は、ＳＦＮ  ｍｏｄ  Ｔ＝Ｆｌｏｏｒ（ｘ／１０）＋８である無線フレームにおいて、ａ  ＝  ｘ  ｍｏｄ  １０としてｐＳＩＭのスタートサブフレーム番号ａを決定することによって、ｐＳＩとスケジューリングオフセットとに基づいて、１つ以上のｐＳＩＭがどのサブフレームにおいてスケジューリングされるかを決定するように構成され、ここで、ＳＦＮはシステムフレーム番号であり、ＴはｐＳＩＭのＳＩ周期であり、８はスケジューリングオフセットによって示され、ｘはｘ  ＝  ｍ＊ｗｍ  ＋（ｎ−１）＊ｗｎによって与えられる整数値であり、ここで、ｍはＳＩメッセージの数であり、ｗｍはＳＩメッセージのウィンドウ長であり、ｎはｐＳＩＭのリスト内のエントリの順番を与えるもので、ｐＳＩによって与えられ、ｗｎはｐＳＩＭのウィンドウ長である。また、上述したように、パラメータｗｎおよびｗｍは、同じ値に制限されてもよい。
【０１０７】
代替的にまたは追加的に、いくつかの実施形態では、無線デバイス１０、１２０は、ＳＦＮ  ｍｏｄ  Ｔ＝Ｆｌｏｏｒ（ｘ／１０）となる無線フレームにおいてｐＳＩＭについてのスタートサブフレーム番号ａを、ａ  ＝  ｘ  ｍｏｄ  １０として決定することによって、ｐＳＩウィンドウごとに１つ以上のｐＳＩＭがスケジューリングされるサブフレームを決定することによって、ｐＳＩおよびＳＩウィンドウごとのｐＳＩＭの数に基づいて、１つ以上のｐＳＩＭがスケジューリングされるサブフレームを決定するように構成され、ここで、ＳＦＮはシステムフレーム番号であり、ＴはｐＳＩＭのＳＩ周期であり、ｘはｘ  ＝  ＦＬＯＯＲ（（ｎ−１）／ｃ）＊ｗｎによって与えられる整数値であり、ここで、ｎは、ｐＳＩＭのリスト内のエントリーの順番を与えるもので、ｐＳＩによって与えられ、ｃは、ＳＩウィンドウごとにスケジューリングされるｐＳＩＭの数であり、ｗｎは、ｐＳＩＭのウィンドウ長である。上述したように、パラメータｗｎおよびｗｍは、同じ値に制限されてもよい。
【０１０８】
第１の無線デバイス１０、１２０は、たとえば、モニタリングユニット５０５によって、無線通信ネットワーク１００における動作を監視するように構成される。モニタリングユニット５０５は、第１の無線デバイス１０、１２０のプロセッサ５０９によって実装されるか、またはそれと通信可能となるように構成されてもよい。
【０１０９】
第１の無線デバイス１０、１２０は、たとえば、復号ユニット５０６によって、受信された１つ以上のｐＳＩＭの情報を復号するように構成されてもよい。復号ユニット５０６は、第１の無線デバイス１０、１２０のプロセッサ５０９によって実装されるか、またはそれと通信可能なように配置されてもよい。
【０１１０】
したがって、無線デバイス１０、１２０は、受信した１つ以上のｐＳＩＭの情報を復号化するように構成されてもよい。
【０１１１】
第１の無線デバイス１０、１２０は、たとえば測位ユニット５０７によって測位を行うように構成されてもよい。測位ユニット５０７は、第１の無線デバイス１０、１２０のプロセッサ５０９によって実装されるか、またはそれと通信可能となるように構成されてもよい。
【０１１２】
したがって、第１の無線デバイス１０、１２０は、無線デバイス１０、１２０の測位を支援するために復号された情報を使用するように構成されてもよい。
【０１１３】
また、当業者であれば、上述の無線デバイス１０、１２０内のユニットは、アナログ回路とディジタル回路の組合せ、および／または、上述のプロセッサなどである１つ以上のプロセッサによって、たとえば無線デバイス１２０に記憶されたソフトウェアおよび／またはファームウェアを実行することで構成される１つ以上のプロセッサを指すことができることを理解するであろう。他のデジタルハードウェアと同様に、これらプロセッサの１つ以上が単一の特定用途集積回路（ＡＳＩＣ）に含まれることもあるし、または、いくつかのプロセッサおよび種々のデジタルハードウェアが、個別にパッケージされたものであれ、システムオンチップ（ＳｏＣ）に組み込まれたものであれ、いくつかの別々のコンポーネント間に配分されることもある。
【０１１４】
無線デバイス１０、１２０は、ネットワークノード２０、１１０およびロケーションサーバ４０、１３２と通信するように構成された入出力インターフェース５０８を含んでもよい。入出力インターフェースは、無線受信機（不図示）および無線送信機（不図示）を備えることができる。
【０１１５】
本明細書の実施形態は、本明細書の実施形態の機能およびアクションを実行するためのそれぞれのコンピュータプログラムコードとともに、図５に示される無線デバイス１０、１２０内のプロセッシング回路のプロセッサ５０９など、それぞれのプロセッサまたは１つ以上のプロセッサを介して実装され得る。上述のプログラムコードは、たとえば、無線デバイス１２０にロードされたときに本明細書の実施形態を実行するためのコンピュータプログラムコードを搬送するデータキャリアの形態で、コンピュータプログラムプロダクトとして提供されてもよい。そのようなキャリアの１つは、ＣＤ−ＲＯＭディスクの形態であってもよい。しかしながら、メモリスティックのような他のデータキャリアでも実現可能である。さらに、コンピュータプログラムコードは、純粋なプログラムコードとしてサーバ上に提供され、無線デバイス１２０にダウンロードされてもよい。
【０１１６】
無線デバイス１２０は、１つ以上のメモリユニットを備えるメモリ５１０をさらに備えることができる。メモリは、無線デバイス１２０内のプロセッサによって実行可能な命令を含む。
【０１１７】
メモリは、無線デバイス１２０で実行されるとき、本明細書の方法を実行するために、たとえば、データ、コンフィギュレーション（構成情報）、およびアプリケーションを記憶するために使用されるように配置される。
【０１１８】
無線デバイス１０、１２０のいくつかの実施形態は、以下を含むことができる：
ｐＳＩＭスケジューリング情報およびｐＳＩＭを、処理ユニットによって決定されたモニタリング（監視）に従ってモニターして、検索抽出するように構成された無線回路と、ｐＳＩＭスケジューリング情報およびｐＳＩＢを記憶するように構成された記憶装置と、を有し、当該処理ユニットは、ｐＳＩＭスケジューリング情報に基づいてｐＳＩＭ監視と、ｐＳＩＭがスケジューリングされる無線リソースとを決定するように構成されている。
【０１１９】
スケジューリングされた測位システム情報を無線デバイス１０、１２０に送信するために、無線ネットワークノード２０、１１０、たとえば、ｅＮＢによって実行される方法の実施形態を描写するフローチャートの例示的な実施形態は、図６に描写され、以下でより詳細に説明される。上述したように、第１の無線デバイス１０、１２０および無線ネットワークノード２０、１１０は、無線通信ネットワーク１００内で動作する。この方法は、以下の動作のうちの１つ以上を含むことができ、これらの動作は、任意の適切な順序で行うことができる。さらに、１つ以上のアクションは、オプションであってもよく、複数のアクションが、組み合わせられてもよいことを理解されたい。
【０１２０】
アクション６０１において、無線ネットワークノード２０、１１０は、ネットワークノード（ＮＮ）３０、１３２、たとえば、ロケーションサーバ、Ｅ−ＳＭＬＣ、またはＬＭＦから、ブロードキャストされる１つ以上の測位ＳＩＢ（ｐＳＩＢ）を取得する。したがって、無線ネットワークノード２０、１１０は、１つ以上のｐＳＩＢを取得する。各ｐＳＩＢは、測位支援データの１つ以上のセグメントを備えることができる。
【０１２１】
アクション６０２では、ＲＮＮ２０、１１０は、１つ以上のｐＳＩＭにおいて、得られた１つ以上のｐＳＩＢのうちの１つ以上を結合する。たとえば、取得された１つ以上のｐＳＩＢのうちの１つ以上は、各ｐＳＩＭにおいて組み合わされてもよい。これは、ＲＮＮ２０、１１０が１つ以上のｐＳＩＢを含むように１つ以上のｐＳＩＭをコンパイルするときにも、表される。上述したように、ｐＳＩＭは、ｐＳＩＢを含むＳＩメッセージである。
【０１２２】
アクション６０３において、無線ネットワークノード２０、１１０は、スケジューリングオフセット、および／または、ＳＩウィンドウあたりの追加のｐＳＩＭの個数、を考慮して、１つ以上のｐＳＩＭのスケジューリング情報を決定する。言い換えれば、無線ネットワークノード２０、１１０は、スケジューリングオフセットと、ＳＩウィンドウあたりのｐＳＩＭの個数と、のうちの少なくとも１つを考慮して、１つ以上のｐＳＩＭの測位システム情報スケジューリング情報（ｐＳＩ）を決定する。
【０１２３】
上述したように、ｐＳＩは、ｐＳＩＢタイプごとのＧＮＳＳ  ＩＤのうちの１つ以上と、それぞれのｐＳＩＭの１つ以上のｐＳＩＢが暗号化されているかどうかのインジケーションと、を含むことができる。
【０１２４】
たとえば、スケジューリングオフセットは、８０ミリ秒の最も短いＳＩ周期内における、測位ＳＩＢのＳＩメッセージの別のスタート位置を示すインジケーションであってもよい。別のスタート位置は、シフトされたスタート位置であってもよい。したがって、スケジューリングオフセットは、シフトされたスタート位置のインジケーションであってもよい。ｐＳＩＭの別のスタート位置は、スケジューリングオフセットによって示されるオフセットだけシフトされたベーススタート位置によって与えられる。オフセットは、いくつかのサブフレームであってもよい。スケジューリングオフセットは、ｐＳＩＭの別のスタート位置の一インジケーションであってもよいため、スケジューリングオフセットは、スタート位置をシフトするときに使用するオフセットに関する情報を含まなくてもよいことを理解されたい。代わりに、スケジューリングオフセットは、事前に定義された、事前に構成された、および／または、事前に決定されたオフセットが使用されることを示すことができることを理解されたい。１．１節では、８つのサブフレームのオフセットが提案された。したがって、いくつかの実施形態では、スケジューリングオフセットは、シフトされたスタート位置のインジケーションである。さらに、スケジューリングオフセットは、ＳＩ周期に等しくてもよい。ＳＩ周期は、８サブフレームであってもよい。
【０１２５】
さらに、ＳＩウィンドウあたりの追加のｐＳＩＭの数は、ＳＩウィンドウサイズおよびスケジューリングオフセットに応じて１つ以上とすることができる。したがって、ＳＩウィンドウあたりのｐＳＩＭの数は、ＳＩウィンドウ内のＳＩメッセージの後にスケジューリングされるｐＳＩＭの数を示す。
【０１２６】
アクション６０４において、無線ネットワークノード２０、１１０は、ｐＳＩＭのスケジューリング情報をブロードキャストする。言い換えると、無線ネットワークノード２０、１１０は、１つ以上のｐＳＩＭに関するスケジューリング情報をブロードキャストする。言い換えると、無線ネットワークノード２０、１１０は、１つ以上のｐＳＩＭの決定されたｐＳＩと、スケジューリングオフセットおよびｐＳＩＭの個数のうちの少なくとも１つとをブロードキャストする。
【０１２７】
上述したように、しばしば、本開示において、スケジューリング情報は、いくつかの例を示すために、測位システム情報ブロードキャスト詳細または測位システム情報スケジューリング情報ｐＳＩと呼ばれることがある。スケジューリング情報は、スケジューリングオフセットおよび／またはＳＩウィンドウあたりのｐＳＩＭの数を含むことができる。上述したように、この情報は、アクション４０１および４０２の無線デバイス１０、１２０によって受信される。
【０１２８】
アクション６０５において、無線ネットワークノード２０、１１０は、ｐＳＩＭのスケジューリング情報に従ってｐＳＩＭをスケジューリングし、送信する。したがって、無線ネットワークノード２０、１１０は、スケジューリング情報に従ってｐＳＩＭをスケジューリングし、無線デバイス１０、１２０に送信する。言い換えると、無線ネットワークノード２０、１１０は、決定されたｐＳＩに従って１つ以上のｐＳＩＭをスケジューリングして、送信する。
【０１２９】
たとえば、スケジューリングされた測位システム情報を無線デバイス１０、１２０に送信するための方法動作を実行するために、無線ネットワークノード（２０、１１０）は、図７に描かれた構成を備えることができ、無線ネットワークノード（２０、１１０）は、たとえば、送信ユニット（７０１）、受信ユニット（７０２）、取得ユニット（７０３）、ブロードキャストユニット（７０４）、決定ユニット（７０５）、スケジューリングユニット（７０６）、および結合ユニット（７０７）を備えることができる。上述したように、第１の無線デバイス１０、１２０および無線ネットワークノード２０、１１０は、無線通信ネットワーク１００で動作するように構成されている。
【０１３０】
無線ネットワークノード２０、１１０は、たとえば、送信ユニット７０１によって、通信ネットワーク１００内で動作する１つ以上のノードに信号、メッセージまたは情報を送信するように構成される。送信ユニット７０１は、無線ネットワークノード２０、１１０のプロセッサ７０９によって実装されるか、またはそれと通信可能となるように配置されてもよい。プロセッサ７０９については、以下でより詳細に説明される。
【０１３１】
無線ネットワークノード２０、１１０は、スケジューリングに従って１つ以上のｐＳＩＭを送信するように構成される。
【０１３２】
無線ネットワークノード２０、１１０は、たとえば、受信ユニット７０２によって、通信ネットワーク１００内で動作する１つ以上のノードからの信号、メッセージまたは情報を受信するように構成されてもよい。受信ユニット７０２は、無線ネットワークノード２０、１１０のプロセッサ７０９によって実装されるか、またはそれと通信可能となるように配置されてもよい。
【０１３３】
無線ネットワークノード２０、１１０は、１つ以上のｐＳＩＢを受信するように構成されてもよい。たとえば、無線ネットワークノード２０、１１０は、ネットワークノード３０、１３２から１つ以上のｐＳＩＢを受信するように構成されてもよい。
【０１３４】
上述したように、各ｐＳＩＢは、測位支援データの１つ以上のセグメントを含む。
【０１３５】
無線ネットワークノード２０、１１０は、たとえば、取得ユニット７０３によって、通信ネットワーク１００内で動作する１つ以上のノードからの信号、メッセージまたは情報を取得するように構成される。取得ユニット７０３は、無線ネットワークノード２０、１１０のプロセッサ７０９によって実装されてもよいし、これと通信可能なように配置されてもよい。
【０１３６】
無線ネットワークノード２０、１１０は、１つ以上のｐＳＩＢを取得するように構成される。無線ネットワークノード２０、１１０は、上述したように１つ以上のｐＳＩＢを受信するように構成されてもよいことを理解されたい。
【０１３７】
たとえば、無線ネットワークノード２０、１１０は、ネットワークノード３０、１３２から１つ以上のｐＳＩＢを取得するように構成されてもよい。
【０１３８】
無線ネットワークノード２０、１１０は、たとえばブロードキャストユニット７０４によって、通信ネットワーク１００内で動作する１つ以上のノードからの信号、メッセージまたは情報をブロードキャストするように構成される。ブロードキャストユニット７０４は、無線ネットワークノード２０、１１０のプロセッサ７０９によって実装されてもよいし、それと通信可能となるように配置されてもよい。ブロードキャストユニット７０４は、送信ユニット７０１の一部であってもよいし、これに対応していてもよい。
【０１３９】
無線ネットワークノード２０、１１０は、１つ以上のｐＳＩＭについての決定されたｐＳＩと、スケジューリングオフセットおよびｐＳＩＭの個数のうちの少なくとも１つと、をブロードキャストするように構成される。
【０１４０】
上述したように、ｐＳＩは、ｐＳＩＢタイプごとのＧＮＳＳ  ＩＤのうちの１つ以上と、それぞれのｐＳＩＭの１つ以上のｐＳＩＢが暗号化されているかどうかのインジケーションと、を含む。
【０１４１】
また、上述したように、スケジューリングオフセットは、シフトされたスタート位置のインジケーションであってもよい。さらに、スケジューリングオフセットは、ＳＩ周期に等しくてもよい。たとえば、ＳＩ周期は、８サブフレームであってもよい。
【０１４２】
上述したように、ＳＩウィンドウあたりのｐＳＩＭの数は、ＳＩウィンドウ内のＳＩメッセージの後にスケジューリングされたｐＳＩＭの数を示す。
【０１４３】
無線ネットワークノード２０、１１０は、たとえば、決定ユニット７０５によって、ｐＳＩを決定するように構成される。決定ユニット７０５は、無線ネットワークノード２０、１１０のプロセッサ７０９によって実装されてもよく、または、これと通信可能なように配置されてもよい。
【０１４４】
無線ネットワークノード２０、１１０は、スケジューリングオフセットと、ＳＩウィンドウあたりのｐＳＩＭの数と、のうちの少なくとも１つを考慮して、１つ以上のｐＳＩＭの測位システム情報スケジューリング情報（ｐＳＩ）を決定するように構成される。
【０１４５】
無線ネットワークノード２０、１１０は、たとえば、スケジューリングユニット７０６によって、１つ以上のｐＳＩＭをスケジューリングするように構成される。スケジューリングユニット７０６は、無線ネットワークノード２０、１１０のプロセッサ７０９によって実装されてもよいし、これと通信可能なように配置されてもよい。
【０１４６】
無線ネットワークノード２０、１１０は、決定されたｐＳＩに従って１つ以上のｐＳＩＭをスケジューリングするように構成される。
【０１４７】
無線ネットワークノード２０、１１０は、たとえば、結合ユニット７０７によって、１つ以上のｐＳＩＭを結合するように構成される。結合ユニット７０７は、無線ネットワークノード２０、１１０のプロセッサ７０９によって実装されてもよく、または、これと通信可能なように配置されてもよい。
【０１４８】
無線ネットワークノード２０、１１０は、１つ以上のｐＳＩＢを備えるように１つ以上のｐＳＩＭをコンパイルするように構成される。
【０１４９】
また、当業者であれば、上述の無線ネットワークノード２０、１１０内のユニットは、アナログ回路とディジタル回路との組合せ、および／または、たとえば、上述のプロセッサのような１つ以上のプロセッサのそれぞれによって、ネットワークノード１１０に記憶されるソフトウェアおよび／またはファームウェアが実行されることで構成される１つ以上のプロセッサを指すことができることを理解するであろう。他のデジタルハードウェアと同様に、これらプロセッサの１つ以上が単一の特定用途集積回路（ＡＳＩＣ）に含まれることもあるし、または、いくつかのプロセッサおよび種々のデジタルハードウェアは、個別にパッケージされたものであれ、システムオンチップ（ＳｏＣ）に組み込まれたものであれ、いくつかの別々のコンポーネント間に分配配置されることもある。
【０１５０】
無線ネットワークノード１０、１２０は、無線デバイス１０、１２０、１２２、ネットワークノード４０、１３０およびロケーションサーバ３０、１３２のうちの１つ以上と通信するように構成された入出力インターフェース７０８を有することができる。
入出力インターフェースは、無線受信機（不図示）および無線送信機（不図示）を備えることができる。
【０１５１】
本明細書の実施形態は、本明細書の実施形態の機能およびアクションを実行するためのそれぞれのコンピュータプログラムコードとともに、図７に示されるネットワークノード１１０内のプロセッシング回路のプロセッサ７０９など、対応するプロセッサまたは１つ以上のプロセッサを介して実装され得る。上述のプログラムコードは、コンピュータプログラムプロダクトとして提供されてもよく、たとえば、ネットワークノード１１０にロードされると本明細書の実施形態を実行させるコンピュータプログラムコードを搬送するデータキャリアの形態であってもよい。そのようなキャリアの１つは、ＣＤ−ＲＯＭディスクの形態であってもよい。しかしながら、メモリスティックのような他のデータキャリアでも実現可能である。さらに、コンピュータプログラムコードは、純粋なプログラムコードとしてサーバ上に提供され、ネットワークノード１１０にダウンロードされてもよい。
【０１５２】
ネットワークノード１１０は、１つ以上のメモリユニットを備えるメモリ７１０をさらに備えることができる。メモリは、ネットワークノード１１０内のプロセッサによって実行可能な命令を含む。
【０１５３】
メモリは、ネットワークノード１１０で実行されると本明細書の方法を実行させるために、たとえば、データ、コンフィギュレーション、およびアプリケーションを記憶するために使用されるように、配置される。たとえば、メモリは、本明細書で言及されるバッファサイズを有するバッファを含むことができる。
【０１５４】
無線ネットワークノード２０、１１０のいくつかの実施形態は、以下を含むことができる：
ＮＮ３０と通信てそこから測位データ要素を取得するように構成された通信回路と、測位アシスト（支援）データを記憶し、処理をサポートするように構成された記憶装置と、可能性のある測位アシストデータのスケジューリングを決定し、ｐＳＩＢをコンパイルし（組み立て）、ｐＳＩＭのスケジューリングと、ｐＳＩＭのスケジューリング情報とを決定するように構成された処理ユニットと、決定されたスケジューリングに従ってｐＳＩＭをブロードキャストするように構成された無線回路と、を有する。
【０１５５】
ある実施形態では、それぞれのコンピュータプログラム７１１は、それぞれの少なくとも１つのプロセッサによって実行されると、ネットワークノード２０、１１０の少なくとも１つのプロセッサに、本明細書に記載された１つ以上の動作を実行させる命令を含む。
【０１５６】
ある実施形態では、それぞれのコンピュータプログラム５１１は、それぞれの少なくとも１つのプロセッサによって実行されると、無線デバイス１０、１２０の少なくとも１つのプロセッサに本明細書に記載された動作を実行させる命令を含む。
【０１５７】
いくつかの実施形態では、それぞれのキャリア５１２、７１２は、それぞれコンピュータプログラムを備え、キャリアは、電子信号、光信号、電磁信号、磁気信号、電気信号、無線信号、マイクロ波信号、またはコンピュータ可読記憶媒体のうちの１つである。
【０１５８】
以下でより詳細に説明される。
【０１５９】
本明細書で開示される実施形態は、以下でより詳細に説明されるように、異なる部分に分けられてもよい。たとえば、測位支援データは、セクション１．１で説明され、スケジューリングオフセットを導入するための他の手段はセクション１．２で説明され、ＳＩウィンドウ内の追加のｐＳＩＭを可能にするための他の方法はセクション１．３で説明され、いくつかのシグナリング態様はセクション１．４で説明される。後続の文書では、接頭辞「ｐｏｓ（ポジ）」を使用して、測位との関連付けを強調する。もう１つの可能性のある接頭辞は、「ｇｅｎ（ジェン）」であり、これらが一般的なシステム情報であることを強調する。
【０１６０】
１．１システム情報ブロードキャストのための測位支援データ
ＲＴＫの修正事項は、３ＧＰＰ  リリース１５においてサポートされる測位支援データ（ＡＤ）のいくつかを含む。これは、共通メッセージタイプと、一般メッセージタイプといった２つのメッセージタイプに分けられる。共通メッセージはすべてのＧＮＳＳで共通であるが、一般メッセージは、設定されたＧＮＳＳ−ＩＤ  を介して特定のＧＮＳＳに関連付けられる。
【０１６１】
たとえば、ＧＮＳＳ支援データは、以下の支援データ要素によって実装されてもよい。いくつかの実施形態の１つのモードでは、各測位支援データ要素は、ｐＳＩＢタイプに対応する。
【０１６２】
【表１】
2021523612.tif 000003
【０１６３】
さらに、他の測位方法に関連付けられている追加のｐＳＩＢタイプが定義されてもよい。一例は、ダウンリンク観測到着時間差（ダウンリンクＯＴＤＯＡ）方法である。
【０１６４】
ｐＳＩＢタイプは、たとえば、以下のカテゴリによってグループ化された、列挙可能なパラメータに関連付けられてもよく、またはタイプごとの線形インデックスとして関連付けられてもよい。それぞれのｐＳＩＢの大きさは、測位支援データがすでにネットワークノード３０、１３２、たとえばロケーションサーバにおいて複数のセグメントにセグメント化されているかどうか、または全支援データ要素が符号化されているかどうかのような、いくつかの事柄に依存する。さらに、いくつかの支援データ要素は、支援データ要素に含まれる衛星の数などに比例する。ロケーションサーバなどのネットワークノード３０、１３２は、測位支援データを符号化し、オプションでそれを暗号化し、ｐＳＩＢタイプごとに１つ以上のセグメント（区分）として、無線ネットワークノード２０、１１０に送信する。いくつかの測位支援データは、ＧＮＳＳごとに別々に符号化される。したがって、ネットワークノード３０、１３２は、ＲＮＮ２０、１１０に、ｐＳＩＢタイプごとのＧＮＳＳを示す。ＲＮＮ２０、１１０は、１つ以上のセグメントとして提供される符号化された測位支援データ部分を取得し、セグメントごとにｐＳＩＢをコンパイルする。
【０１６５】
また、ｐＳＩＢそのものは、シーケンス（順序）番号、最後のセグメントインジケーションなどのセグメント化情報を含んでもよい。
【０１６６】
ネットワークノード３０、１３２、たとえば、ロケーションサーバ、またはＲＮＮ２０、１１０は、それぞれが１つ以上のｐＳＩＢを有するｐＳＩＭをコンパイル（編集）し、ｐＳＩＭをスケジューリングし、スケジューリング情報は、測位ＳＩＢスケジューリング情報ｐＳＩにコンパイルされる。ｐＳＩはまた、（適用可能な場合）ｐＳＩＢタイプごとのＧＮＳＳ  ＩＤを含み、典型的にはｐＳＩＢごとまたはｐＳＩＭごとの復号鍵インデックスを提供することによって、ｐＳＩＭのｐＳＩＢが暗号化されているかどうかを含むことができる。さらに、ＲＮＮ２０、１１０は、スケジューリングに従ってｐＳＩＭを送信、たとえばブロードキャストする。
【０１６７】
１．２  ｐＳＩＭのスケジューリングオフセット
従来技術に伴う１つの制約は、ＳＩメッセージのスタート位置がすべての周期に対して同じであるという事実から生じる。これは、ＵＥ、たとえば、無線デバイス１０、１２０が、いくつかの時間ウィンドウにおいて短時間で多くのシステム情報を検索することを可能にするという長所を有するが、不必要な制限も引き起こす。
【０１６８】
いくつかの実施形態では、測位ＳＩＢ（ｐＳＩＭ）のＳＩメッセージのスタート位置は、最短である８０ｍｓのＳＩ周期のオフセットだけシフトされる。また、８０ｍｓのＳＩ周期は、８サブフレームであるとして表すことができ、従って、スタート位置は、８サブフレームに対応するオフセットだけシフトすることができる。これは、最も短い周期のレガシーＳＩメッセージのみがｐＳＩＭのために利用可能なリソースを占有するにすぎず、これは、ｐＳＩＭのために利用可能な容量を増加させることを意味する。最短のＳＩ周期とは異なる他のオフセットが考慮されてもよい。
【０１６９】
以下、下線は、３ＧＰＰ  ＲＲＣ仕様３６．３３１の文章について提案された、更新部分を示す：
１＞以下のように、測位ＳＩＢのための当該ＳＩメッセージについてＳＩウィンドウのスタート（開始）を決定する。
２＞レガシーＳＩメッセージの場合、ＳｙｓｔｅｍＩｎｆｏｒｍａｔｉｏｎＢｌｏｃｋＴｙｐｅ１内のｓｃｈｅｄｕｌｉｎｇＩｎｆｏＬｉｓｔによって構成されるＳＩメッセージの数に対応する数ｍを決定する。これは最短のＳＩ周期である８無線フレーム（８０ｍｓ）に関連する。
【０１７０】
２＞関係するＳＩメッセージの場合、ＳｙｓｔｅｍＩｎｆｏｒｍａｔｉｏｎＢｌｏｃｋＴｙｐｅ１内のｐｏｓＳｃｈｅｄｕｌｉｎｇＩｎｆｏＬｉｓｔによって構成される測位ＳＩＢのためのＳＩメッセージのリスト内でのエントリの順番に対応する数ｎを決定する。
２＞整数値ｘ  ＝  ｍ＊ｗｍ  ＋  （ｎ−１）＊ｗｎを決定する。ｗｍはｓｉ−ＷｉｎｄｏｗＬｅｎｇｔｈであり、ｗｎはｓｉ−ｐｏｓＷｉｎｄｏｗＬｅｎｇｔｈである。
２＞測位ＳＩＢの、関係するＳＩメッセージを有するＳＩウィンドウは、ＳＦＮ  ｍｏｄ  Ｔ  ＝  ＦＬＯＯＲ（ｘ／１０）＋８である無線フレームにおいて、ａ  ＝  ｘ  ｍｏｄ  １０であるサブフレーム＃ａでスタートし、ここでＴは関係するＳＩメッセージのｓｉ−ＰｏｓＰｅｒｉｏｄｉｃｉｔｙであり、８は８つのサブフレームに対応する提案されたオフセットである；
メモ：Ｅ−ＵＴＲＡＮ  は、ＳＦＮ  ｍｏｄ  ２  ＝  ０  の無線フレームで、すべてのＳＩがサブフレーム＃５より前にスケジューリングされている場合にのみ、１ｍｓのＳＩウィンドウを構成する必要がある。
【０１７１】
上記の本文では、関係するＳＩメッセージは、ｐＳＩＢを含むＳＩメッセージである。言い換えれば、当該ＳＩメッセージはｐＳＩＭである。さらに、ｍは、ＳＩメッセージの数、すなわち、ｐＳＩＢを含まないレガシーＳＩメッセージの数であり、ｗｍは、ＳＩメッセージのウィンドウ長、すなわち、ｐＳＩＢを含まないレガシーＳＩメッセージであり、ｎは、ｐＳＩＭのリスト内のエントリの順番を与えるもので、ｐｏｓＳｃｈｅｄｕｌｉｎｇＩｎｆｏＬｉｓｔによって、たとえば、ｐＳＩによって与えられ、ｗｎは、ｐＳＩＭのウィンドウ長である。上述したように、パラメータｗｎおよびｗｍは、同じ値に制限されてもよいことを理解されたい。さらに、上述したように、８は、８つのサブフレームに対応する提案されたオフセットである。したがって、スケジューリングオフセットは、ｐＳＩＭのスタート位置をシフトするときに８サブフレームのオフセットを使用するインジケーションであり得ることを理解されたい。
【０１７２】
図８ａに示される例では、測位ＳＩＢの２つのＳＩメッセージ、すなわち、ｓｉ−ＰｏｓＷｉｎｄｏｗＬｅｎｇｔｈが１０ｍｓ（レガシーと同じであってもよく、またはレガシーとは別個のｐＳＩで与えられてもよい）であり、周期が１２８０ｍｓである、２つのｐＳＩＭ、ＳＩｚ１およびＳＩｚ２が追加される。
【０１７３】
・第１のＳＩメッセージの第１のＳＩウィンドウは、サブフレーム＃ａでスタートし、ここで、ＳＦＮ  ｍｏｄ  ８  ＝  ＦＬＯＯＲ（ｘ／１０）＝０である無線フレームでは、ｘ＝０およびａ＝ｘ  ｍｏｄ  １０  ＝  ０であり、すなわち、第１のＳＩメッセージは、ＳＦＮ  ＝  ０、８、１６、．．．でスタートする、１０ｍｓのＳＩウィンドウでブロードキャストされる。
・第２のＳＩメッセージの第１のＳＩウィンドウは、サブフレーム＃ａでスタートし、ここで、ＳＦＮ  ｍｏｄ  １６  ＝  ＦＬＯＯＲ（ｘ／１０）＝１である無線フレームでは、ｘ＝１０およびａ＝ｘ  ｍｏｄ  １０＝０であり、すなわち、第２のＳＩメッセージは、ＳＦＮ  １、１７、３３、．．．でスタートする、１０ｍｓのＳＩウィンドウでブロードキャストされる。
・測位ＳＩＢを有する第１のＳＩメッセージの第１のＳＩウィンドウ、すなわち第１のｐＳＩＭの第１のＳＩウィンドウは、サブフレーム＃ａでスタートし、ここで、ＳＦＮ  ｍｏｄ  １２８  ＝  ＦＬＯＯＲ（ｘ／１０）＋８＝９である無線フレームにおいて、ｘ＝１０＊１  ＋０＊１０＝１０およびａ＝ｘ  ｍｏｄ  １０＝０であり、すなわち、第２のＳＩメッセージは、ＳＦＮ  ９、１３７、２６５、．．．でスタートする１０ｍｓのＳＩウィンドウにおいてブロードキャストされ、図８ａにおいて、第１のｐＳＩＭは、ＳＩｚ１として示される。上述したように、ＳＦＮ  ｍｏｄ  １２８  ＝  ＦＬＯＯＲ（ｘ／１０）＋８という式における８は、スケジューリングオフセットによって示され得るオフセットである。
【０１７４】
・測位ＳＩＢを有する第２のＳＩメッセージの第１のＳＩウィンドウ、すなわち、第２のｐＳＩＭの第１のＳＩウィンドウは、サブフレーム＃ａでスタートし、ここで、ＳＦＮ  ｍｏｄ  １２８  ＝  ＦＬＯＯＲ（ｘ／１０）＋８＝１０である無線フレームにおいて、ｘ＝１０＊１  ＋１＊１０＝２０およびａ＝ｘ  ｍｏｄ  １０＝０であり、すなわち、第２のＳＩメッセージは、ＳＦＮ  １０、１３８、２６６、．．．でスタートする１０ｍｓのＳＩウィンドウでブロードキャストされ、図８ａにおいて、第２のｐＳＩＭは、ＳＩｚ２として示される。上述したように、ＳＦＮ  ｍｏｄ  １２８  ＝  ＦＬＯＯＲ（ｘ／１０）＋８という式における８は、スケジューリングオフセットによって示され得るオフセットである。
【０１７５】
この構造では、最も短い周期を有するレガシーＳＩメッセージのみがリソースを占有し、典型的には、これらは１つのみであるか、または１つでさえも存在しない。それによって、図８ａによって示されるように、測位ＳＩＢを有するＳＩメッセージ、すなわちｐＳＩＭに利用可能なより多くのリソースが存在する。
【０１７６】
１．３  ＳＩウィンドウごとに、レガシーＳＩメッセージに加えて、測位ＳＩＢを有する追加のＳＩメッセージ、すなわち、１つ以上のｐＳＩＭについていくつかの代替実施形態では、レガシーＳＩメッセージがＳＩウィンドウ内で既にスケジューリングされている場合であっても、１つ以上のｐＳＩＭがＳＩウィンドウ内でスケジューリングされる。
【０１７７】
ＳＩウィンドウにおいて、レガシーＳＩメッセージに加えて追加のＳＩメッセージ、たとえば、１つ以上のｐＳＩＭを考慮することに関する主な課題は、ＳＩメッセージスケジューリングにおけるレガシーへの影響を回避することである。しかしながら、３６．３３１において３ＧＰＰ  ＲＲＣ仕様は、次のことを規定している。
１＞ＳＩウィンドウのスタートからＳＩ−ＲＮＴＩを使用してＤＬ−ＳＣＨを受信し、ＳＩウィンドウの終わり（この時間の絶対長はｓｉ−ＷｉｎｄｏｗＬｅｎｇｔｈで与えられる）まで、または、ＳＩメッセージが受信されるまで、継続する。ただし、以下のサブフレームを除く。
２＞ＳＦＮ  ｍｏｄ  ２  ＝  ０である無線フレームにおけるサブフレーム＃５；
２＞任意のＭＢＳＦＮサブフレーム；
２＞ＴＤＤにおける任意のアップリンクサブフレーム；
１＞ＳＩウィンドウの終わりまでにＳＩメッセージが受信されなかった場合、当該ＳＩメッセージの次のＳＩウィンドウの機会で受信を繰り返す；
これは、レガシーＳＩメッセージを含むＳＩウィンドウ内の任意の追加のＳＩメッセージがレガシーＳＩメッセージの後にスケジューリングされる限り、レガシー挙動に影響がないことを意味する。したがって、レガシーＳＩメッセージを含むＳＩウィンドウ内の測位ＳＩＢを用いて追加のＳＩメッセージをスケジューリングすること、および、同じＳＩウィンドウ内の測位ＳＩＢを用いて複数のＳＩメッセージをスケジューリングすることも可能である。各ＳＩウィンドウでスケジューリングされるＳＩメッセージの数もシグナリングする必要がある。この場合、たとえルールがレガシーＳＩウィンドウ内の他のＳＩメッセージの前にレガシーＳＩメッセージを常にスケジューリングする限り、別個の構成を許容することが可能であったとしても、レガシーと同じｓｉ−ＰｏｓＷｉｎｄｏｗＬｅｎｇｔｈを使用することが最も便利であろう。
【０１７８】
図８ｂは、レガシーＳＩメッセージであるＳＩｘと、測位ＳＩＢであるＳＩｚ１とを有する新しいＳＩメッセージとを含む例を示す。上述したように、測位ＳＩＢを含むＳＩメッセージは、ｐＳＩＭと呼ばれることがある。したがって、図８ｂは、同じＳＩウィンドウ内のレガシーＳＩメッセージＳＩｘおよびｐＳＩＭＳＩｚ１のスケジューリングを概略的に示す。ｐＳＩＭＳＩｚ１は、それらが一致するＳＩウィンドウ内のレガシーＳＩメッセージＳＩｘの後にスケジューリングされることに留意されたい。
【０１７９】
以下で下線は、３ＧＰＰ  ＲＲＣ仕様３６．３３１の文章に対して提案された更新部分を示す。
１＞以下のように、測位ＳＩＢのための当該ＳＩメッセージのＳＩウィンドウのスタートを決定する：
２＞関係するＳＩメッセージについて、ｐｏｓＳｃｈｅｄｕｌｉｎｇＩｎｆｏＬｉｓｔによって構成される、測位ＳＩＢのためのＳＩメッセージのリスト内でのエントリの順番に対応する数ｎを決定する。
ＳｙｓｔｅｍＩｎｆｏｒｍａｔｉｏｎＢｌｏｃｋＴｙｐｅ１と、測位ＳＩＢを有する追加のＳＩメッセージの数に対応する数ｃとが、同じＳＩウィンドウ内でスケジューリングされ得る。
２＞整数値ｘ  ＝  ＦＬＯＯＲ（（ｎ−１）／ｃ）＊ｗｎを決定する。ｗｍはｓｉ−ＷｉｎｄｏｗＬｅｎｇｔｈ、ｗｎはｓｉ−ｐｏｓＷｉｎｄｏｗＬｅｎｇｔｈである。
２＞測位ＳＩＢの、関係するＳＩメッセージを伴うＳＩウィンドウは、ＳＦＮ  ｍｏｄ  Ｔ  ＝  ＦＬＯＯＲ（ｘ／１０）である無線フレームにおいて、ａ  ＝  ｘ  ｍｏｄ  １０であるサブフレーム＃ａでスタートし、ここで、Ｔは関係するＳＩメッセージのｓｉ−ＰｏｓＰｅｒｉｏｄｉｃｉｔｙである。
メモ：Ｅ−ＵＴＲＡＮは、ＳＦＮ  ｍｏｄ  ２  ＝  ０の無線フレームで、すべてのＳＩがサブフレーム＃５より前にスケジューリングされている場合にのみ、１ｍｓのＳＩウィンドウを構成する必要がある。
【０１８０】
上記の文章において、ｗｍは、ｓｉ−ＷｉｎｄｏｗＬｅｎｇｔｈであり、ｐＳＩＢを含まないＳＩメッセージのウィンドウ長であることを理解されたい。したがって、ｗｍは、非測位ＳＩメッセージのウィンドウ長と呼ばれることがある。さらに、ｗｎは、ｓｉ−ｐｏｓＷｉｎｄｏｗＬｅｎｇｔｈであり、１つ以上のｐＳＩＢを含むＳＩメッセージのウィンドウ長であることを理解されたい。したがって、ｗｎはｐＳＩＭのウィンドウ長である。上述したように、パラメータｗｎおよびｗｍは、同じ値に制限されてもよいことを理解されたい。さらに、ｎは、ｐＳＩＭのリスト内でのエントリの順番を与え、ｃは、同じＳＩウィンドウ内のｐＳＩＭの数を与える。たとえば、ｓｉ−ＰｏｓＷｉｎｄｏｗＬｅｎｇｔｈが１０ｍｓ（レガシーと同じであってもよく、またはレガシーとは別個のｐＳＩと同じであってもよい）であり、ＳＩＢ２の数が増加され、周期が１２８０ｍｓである、測位ＳＩＢ  ＳＩｚ１からＳＩｚ３の５つのＳＩメッセージの追加を考える。
【０１８１】
・測位ＳＩＢを有する第１のＳＩメッセージの第１のＳＩウィンドウ、すなわち、第１のｐＳＩＭＳＩｚ１の第１のＳＩウィンドウは、サブフレーム＃ａでスタートし、ここで、ＳＦＮ  ｍｏｄ  １２８  ＝  ＦＬＯＯＲ（ｘ／１０）＝０である無線フレームでは、ｘ＝０およびａ＝ｘ  ｍｏｄ  １０＝０であり、すなわち、第１のＳＩメッセージは、ＳＦＮ  ０、１２８、２５６、．．．でスタートする１０ｍｓのＳＩウィンドウでブロードキャストされる。
・測位ＳＩＢを有する第２のＳＩメッセージの第１のＳＩウィンドウ、すなわち、第２のｐＳＩＭＳＩｚ２の第１のＳＩウィンドウは、サブフレーム＃ａでスタートし、ここで、ＳＦＮ  ｍｏｄ  １２８  ＝  ＦＬＯＯＲ（ｘ／１０）＝０である無線フレームでは、ｘ＝  ０およびａ＝ｘ  ｍｏｄ  １０＝０であり、すなわち、第２のＳＩメッセージは、ＳＦＮ  ０、１２８、２５６、．．．でスタートする１０ｍｓのＳＩウィンドウでブロードキャストされる。
・測位ＳＩＢを有する第３のＳＩメッセージの第１のＳＩウィンドウ、すなわち、第３のｐＳＩＭＳＩｚ３の第１のＳＩウィンドウは、サブフレーム＃ａでスタートし、ここで、ＳＦＮ  ｍｏｄ  １２８  ＝  ＦＬＯＯＲ（ｘ／１０）＝１である無線フレームでは、ｘ＝  １０およびａ＝ｘ  ｍｏｄ  １０＝１であり、すなわち、第３のＳＩメッセージは、ＳＦＮ  １、１２９、２５７、．．．でスタートする１０ｍｓのＳＩウィンドウでブロードキャストされる。レガシーＳＩメッセージがある場合、これは常にそのＳＩウィンドウ内で最初にスケジューリングされる。ｐＳＩＭのＳＩウィンドウがレガシーＳＩメッセージのＳＩウィンドウと異なる場合、レガシーＳＩメッセージは、そのＳＩウィンドウにおいて最初に送信されなければならない。レガシーＳＩメッセージとのオーバラップがより少ない場合、またはレガシーＳＩメッセージのＳＩウィンドウの直後にＳＩウィンドウ内でｐＳＩＭをスケジューリングすることができる場合、上記のようにオフセットと組み合わせることも可能である。
【０１８２】
１．４  シグナリングの態様
いくつかの実施形態では、測位ＳＩＢおよびｐＳＩＭは、３６．３３１における３ＧＰＰ  ＲＲＣ仕様の拡張として以下に概説されるような一般（汎用）ＳＩＢの一例である。
【０１８３】
１．４．１  システム情報
ＳｙｓｔｅｍＩｎｆｏｒｍａｔｉｏｎ（システム情報）メッセージは、１つ以上のシステム情報ブロック（ＳＩＢ）  または一般システム情報ブロック（ｇｅｎＳＩＢ）を搬送するために使用される。ここに含まれるすべてのＳＩＢまたはｇｅｎＳＩＢは、同じ周期で送信される。システム情報帯域幅縮小（ＳｙｓｔｅｍＩｎｆｏｒｍａｔｉｏｎ−ＢＲ）とシステム情報マルチメディアブロードキャストマルチキャストサービス（ＳｙｓｔｅｍＩｎｆｏｒｍａｔｉｏｎ−ＭＢＭＳ）は、ＳｙｓｔｅｍＩｎｆｏｒｍａｔｉｏｎと同じ構造を使用する。
【０１８４】
シグナリング無線ベアラ：Ｎ／Ａ
無線リンク制御サービスアクセスポイント（ＲＬＣ−ＳＡＰ）：トランスペアレントモード（ＴＭ）
論理チャネル：ブロードキャストチャネル（ＢＣＣＨ）および帯域幅縮小ＢＲ−ＢＣＣＨ。
方向：Ｅ−ＵＴＲＡＮからＵＥへ
【表２】
2021523612.tif 000004
【０１８５】
１．４．２  ＳｙｓｔｅｍＩｎｆｏｒｍａｔｉｏｎＢｌｏｃｋＴｙｐｅ１
ＳｙｓｔｅｍＩｎｆｏｒｍａｔｉｏｎＢｌｏｃｋＴｙｐｅ１は、ＵＥがセルへのアクセスを許可されているかどうかを評価する際に関連する情報を含み、他のシステム情報のスケジューリングを定義する。ＳｙｓｔｅｍＩｎｆｏｒｍａｔｉｏｎＢｌｏｃｋＴｙｐｅ１−ＢＲ  は、ＳｙｓｔｅｍＩｎｆｏｒｍａｔｉｏｎＢｌｏｃｋＴｙｐｅ１と同じ構造を使用する。
【０１８６】
シグナリング無線ベアラ：Ｎ／Ａ
ＲＬＣ−ＳＡＰ：ＴＭ
論理チャネル：ＢＣＣＨ  およびＢＲ−ＢＣＣＨ
方向：Ｅ−ＵＴＲＡＮからＵＥへ
【表３Ａ】
2021523612.tif 000005
【表３Ｂ】
2021523612.tif 000006
【表３Ｃ】
2021523612.tif 000007
【表３Ｄ】
2021523612.tif 000008
【０１８７】
上記の例示的なＳｙｓｔｅｍＩｎｆｏｒｍａｔｉｏｎＢｌｏｃｋＴｙｐｅ１メッセージにおいて、Ｐｏｓ−ＳｃｈｅｄｕｌｉｎｇＩｎｆｏ−ｒ１５によって与えられるｐｏｓＳｃｈｅｄｕｌｉｎｇＩｎｆｏＬｉｓｔは、ｐＳＩＭの周期、およびｐＳＩＭがどのようにコンパイルされるかを与える。たとえば、ｇｅｎ−ｓｉ−Ｐｅｒｉｏｄｉｃｉｔｙ−ｒ１５は、１０ｍｓ無線フレームにおけるｐＳＩＭの周期であり、ｒｆ８が８０ｍｓを意味し、ｒｆ１６が１６０ｍｓを意味し、ｒｆ３２が３２０ｍｓを意味する。さらに、ｇｅｎ−ｓｉｂ−ＭａｐｐｉｎｇＩｎｆｏ−ｒ１５情報は、１つ以上のｐＳＩＢを含むように、すなわち、１から最大ＳＩＢ番号を含むように、ｐＳＩＭがどのようにコンパイルされるか、を伝える。
【０１８８】
さらなる拡張および変形
図９を参照すると、実施形態に従って、通信システムは、たとえば、ＷＬＡＮなどや、無線アクセスネットワークのようなアクセスネットワーク３２１１およびコアネットワーク３２１４を含む、たとえば、３ＧＰＰ型のセルラネットワークなど、無線通信ネットワーク１００のような電気通信ネットワーク３２１０を有する。アクセスネットワーク３２１１は、ネットワークノード２０、１１０などの複数の基地局３２１２ａ、３２１２ｂ、３２１２ｃ、アクセスノード、ＡＰ  ＳＴＡ  ＮＢ、ｅＮＢ、ｇＮＢ、または他のタイプの無線アクセスポイントを有し、それぞれが対応するカバレッジエリア３２１３ａ、３２１３ｂ、３２１３ｃを定義する。基地局３２１２ａ、３２１２ｂ、３２１２ｃのそれぞれは、有線または無線コネクション３２１５を介してコアネットワーク３２１４に接続可能である。第１のユーザ装置（ＵＥ）たとえば、カバレッジエリア３２１３ｃに位置する非ＡＰ  ＳＴＡ  ３２９１のような無線デバイス１０、１２０は、対応する基地局３２１２ｃと無線で接続されるか、または、ページングされるように構成されている。第２のＵＥ３２９２、たとえば、カバレッジエリア３２１３ａ内の非ＡＰ  ＳＴＡのような無線デバイス１２２は、対応する基地局３２１２ａに無線で接続可能である。この例では、複数のＵＥ３２９１、３２９２が示されているが、開示された実施形態は、単一のＵＥがカバレッジエリア内に存在する状況や、単一のＵＥが対応する基地局３２１２に接続している状況にも、等しく適用可能である。
【０１８９】
通信ネットワーク３２１０は、それ自体がホストコンピュータ３２３０に接続されており、これは、スタンドアロン型サーバ、クラウドに実装されたサーバ、分散サーバ、またはサーバファーム内のプロセッシングリソースのハードウェアおよび／またはソフトウェアにおいて具体化されてもよい。ホストコンピュータ３２３０は、サービスプロバイダの所有権または制御下にあってもよいし、サービスプロバイダによって、またはサービスプロバイダの代わりに運用されてもよい。通信ネットワーク３２１０とホストコンピュータ３２３０との間のコネクション３２２１、３２２２は、コアネットワーク３２１４からホストコンピュータ３２３０に直接的に延在していてもよく、あるいは任意の中間ネットワーク３２２０を介してもよい。中間ネットワーク３２２０は、パブリックネットワーク、プライベートネットワーク、またはホストされたネットワークのうちの１つ、または２つ以上の組合せとすることができ、中間ネットワーク３２３０は、もしあれば、バックボーンネットワークまたはインターネットとすることができ、特に、中間ネットワーク３２２０は、２つ以上のサブネットワーク（不図示）を有することができる。
【０１９０】
図９の通信システムは、全体として、接続されたＵＥ３２９１、３２９２の１つとホストコンピュータ３２３０との間の接続を可能にする。コネクティビティ（接続性）は、オーバーザトップ（ＯＴＴ）コネクション３２５０として記述されてもよい。ホストコンピュータ３２３０および接続されたＵＥ３２９１、３２９２は、アクセスネットワーク３２１１、コアネットワーク３２１４、任意の中間ネットワーク３２２０、および考えられるさらなるインフラストラクチャ（不図示）を媒介として使用して、ＯＴＴコネクション３２５０を介してデータおよび／またはシグナリングを通信するように構成される。ＯＴＴコネクション３２５０は、ＯＴＴコネクション３２５０が通過するように参加している通信デバイスが、アップリンク通信およびダウンリンク通信のルーティング（経路指定）に気付かないという意味でトランスペアレントでありうる。たとえば、基地局３２１２は、接続されたＵＥ３２９１に転送される（たとえば、ハンドオーバされる）ためにホストコンピュータ３２３０から発信されるデータをもつ着信ダウンリンク通信の過去のルーティングについて知らされる必要はない。同様に、基地局３２１２は、ＵＥ３２９１からホストコンピュータ３２３０へ向かう発信されるアップリンク通信の将来のルーティングを認識する必要はない。
【０１９１】
実施形態では、上記パラグラフで説明されたＵＥ、基地局およびホストコンピュータの実施形態に従い、図１０を参照して説明され、通信システム３３００では、ホストコンピュータ３３１０は、通信システム３３００における別の通信装置とのインターフェースを備えた有線または無線コネクションを設定して維持するために構成された通信インターフェース３３１６を有するハードウェア３３１５を有している。ホストコンピュータ３３１０は、記憶および／またはプロセッシング（処理）能力を有することができるプロセッシング回路３３１８をさらに備える。特に、プロセッシング回路３３１８は、命令を実行するように適合した１つ以上のプログラマブルプロセッサ、特定用途集積回路、フィールドプログラマブルゲートアレイ、またはこれらの組み合わせ（不図示）を含んでもよい。ホストコンピュータ３３１０はさらにソフトウェア３３１１を有し、それがホストコンピュータ３３１０に記憶されるか、またはアクセス可能であり、プロセッシング回路３３１８によって実行可能である。ソフトウェア３３１１は、ホストアプリケーション３３１２を有する。ホストアプリケーション３３１２は、ＵＥ３３３０およびホストコンピュータ３３１０で終端されるＯＴＴコネクション３３５０を介して接続するＵＥ３３３０などのリモートユーザにサービスを提供するように動作可能であってもよい。リモートユーザにサービスを提供する際に、ホストアプリケーション３３１２は、ＯＴＴコネクション３３５０を使用して送信されるユーザデータを提供してもよい。
【０１９２】
通信システム３３００は、さらに、通信システム内に設けられ、ホストコンピュータ３３１０およびＵＥ３３３０と通信することを可能にするハードウェア３３２５を有する基地局３３２０を有する。ハードウェア３３２５は、通信システム３３００における別の通信装置のインターフェースとの有線または無線コネクションをセットアップおよび維持するための通信インターフェース３３２６、ならびに基地局３３２０によってサービスされるカバレッジエリア（図１９には示されていない）に位置するＵＥ３３３０との少なくとも無線コネクション３３７０をセットアップおよび維持するための無線インターフェース３３２７を含むことができる。通信インターフェース３３２６は、ホストコンピュータ３３１０へのコネクション３３６０を容易にするように構成されてもよい。コネクション３３６０は、直接的なものであってもよいし、通信システムのコアネットワーク（図１０には示されていない）を通過するものであってもよいし、および／または、通信システムの外部にある１つ以上の中間ネットワークを通過するものであってもよい。図示の実施形態では、基地局３３２０のハードウェア３３２５は、命令を実行するように適合した１つ以上のプログラマブルプロセッサ、特定用途集積回路、フィールドプログラマブルゲートアレイ、またはこれらの組み合わせ（不図示）を含みうるプロセッシング回路３３２８をさらに有する。さらに、基地局３３２０は、内部に記憶されるか、または外部コネクションを介してアクセス可能なソフトウェア３３２１を有する。
【０１９３】
通信システム３３００は、すでに言及されたＵＥ３３３０をさらに有する。そのハードウェア３３３５は、ＵＥ３３３０が現在位置しているカバレッジエリアにサービスを提供する基地局との無線コネクション３３７０をセットアップして、維持するように構成された無線インターフェース３３３７を有しててもよい。ＵＥ３３３０のハードウェア３３３５は、命令を実行するように適合した１つ以上のプログラマブルプロセッサ、特定用途集積回路、フィールドプログラマブルゲートアレイ、またはこれらの組合せ（不図示）を備えてもよいプロセッシング回路３３３８をさらに有する。ＵＥ３３３０はさらにソフトウェア３３３１を有し、これらはＵＥ３３３０内に記憶されるかアクセス可能であり、またプロセッシング回路３３３８によって実行可能である。ソフトウェア３３３１は、クライアントアプリケーション３３３２を有する。クライアントアプリケーション３３３２は、ホストコンピュータ３３１０のサポートを受けて、ＵＥ３３３０を介して人間または非人間のユーザにサービスを提供するように動作可能である。ホストコンピュータ３３１０において、実行中のホストアプリケーション３３１２は、ＵＥ３３３０で終端されるＯＴＴコネクション３３５０およびホストコンピュータ３３１０を介して実行中のクライアントアプリケーション３３３２と通信してもよい。ユーザにサービスを提供する際に、クライアントアプリケーション３３３２は、ホストアプリケーション３３１２から要求データを受信し、要求データに応答してユーザデータを提供してもよい。ＯＴＴコネクション３３５０は、リクエスト（要求）データとユーザデータの両方を伝送してもよい。クライアントアプリケーション３３３２は、ユーザと対話して、ユーザが提供するユーザデータを生成してもよい。
【０１９４】
図１０に示されるホストコンピュータ３３１０、基地局３３２０、およびＵＥ３３３０は、ホストコンピュータ３２３０、基地局３２１２ａ、３２１２ｂ、３２１２ｃのうちの１つ、および図９のＵＥ３２９１、３２９２のうちの１つとそれぞれ同一でありうることに留意されたい。すなわち、これらのエンティティの内部動作は、図１０に示されるようなものであってもよいし、これとは独立したものであってもよいし、周囲のネットワークトポロジは図９のものであってもよい。
【０１９５】
図１０では、基地局３３２０を介したホストコンピュータ３３１０とユーザ装置３３３０との間の通信を示すために、ＯＴＴコネクション３３５０が抽象的に描かれているが、いかなる中間デバイスも明示的に参照されてはおらず、これらの装置を介したメッセージの正確なルーティングも参照されていない。ネットワークインフラストラクチャは、ルーティングを決定してもよく、ルーティングは、ＵＥ３３３０から、またはホストコンピュータ３３１０を運用するサービスプロバイダから、あるいはその両方から隠すように構成されてもよい。ＯＴＴコネクション３３５０がアクティブな間、ネットワークインフラストラクチャは、（たとえば、ロードバランシングの考慮またはネットワークの再構成に基づいて）ルーティングを動的に変更する決定をさらに行うことができる。
【０１９６】
ＵＥ３３３０と基地局３３２０との間の無線コネクション３３７０は、本開示全体を通じて説明される実施形態の教示に従う。様々な実施形態のうちの１つ以上は、無線コネクション３３７０が最後の区間を形成するＯＴＴコネクション３３５０を使用して、ＵＥ３３３０に提供されるＯＴＴサービスの性能を改善する。より正確には、これらの実施形態の教示は、より多くの測位支援データがブロードキャストされることを可能にするように、ｐＳＩＭスケジューリングを改善することができる。
【０１９７】
１つ以上の実施形態が改善するデータレート、遅延時間、および他の要因を監視する目的で、測定プロシージャ（手順）を提供することができる。さらに、計測結果のばらつきに応じて、ホストコンピュータ３３１０と端末３３３０との間でＯＴＴコネクション３３５０を再構成するための任意のネットワーク機能があってもよい。ＯＴＴコネクション３３５０を再構成するための測定プロシージャおよび／またはネットワーク機能は、ホストコンピュータ３３１０のソフトウェア３３１１、またはＵＥ３３３０のソフトウェア３３３１、またはその両方に実装されてもよい。実施形態では、センサ（不図示）は、ＯＴＴコネクション３３５０が通過する通信デバイスに、またはそれに関連して配備されてもよく、センサは、上記で例示された監視量の値を供給することによって、またはソフトウェア３３１１、３３３１が監視量を演算または推定することができる他の物理量の値を供給することによって、測定プロシージャに関与してもよい。ＯＴＴコネクション３３５０の再構成は、メッセージフォーマット、再送設定、好ましいルーティングなどを有することができ、再構成は、基地局３３２０に影響を及ぼす必要はなく、基地局３３２０には知られていないか、または知覚できないことがある。このようなプロシージャおよび機能性は、当技術分野で知られており、実践されているものであってもよい。ある実施形態では、測定は、スループット、伝搬時間、遅延時間などのホストコンピュータ３３１０の測定を容易にする独自のＵＥシグナリングを有することができる。測定は、ソフトウェア３３１１、３３３１が、伝搬時間、誤差等を監視している間に、ＯＴＴコネクション３３５０を使用して、メッセージ、特に空または「ダミー」メッセージを送信させることによって、実行されてもよい。
【０１９８】
図９および図１０、ならびに対応する説明は、無線関連発明の下り方向の態様に関するものであり、図１１および図１２、ならびに対応する説明は、上り方向の態様についてのものである。
【０１９９】
図１１は、一実施形態による、通信システムにおいて実施される方法を示すフローチャートである。通信システムは、ホストコンピュータと、ＡＰ  ＳＴＡのような基地局と、図９および図１０に関連して説明したような非ＡＰ  ＳＴＡのようなＵＥとを含む。本開示を簡単にするために、図１１を参照する図面のみがこのセクションに含まれる。本方法の第１のアクション３４１０で、ホストコンピュータはユーザデータを提供する。第１のアクション３４１０についてのオプションのサブアクション３４１１において、ホストコンピュータはホストアプリケーションを実行することによってユーザデータを提供する。第２のアクション３４２０において、ホストコンピュータは、ユーザデータをＵＥに搬送する送信を開始する。オプションの第３のアクション３４３０において、基地局は、本開示全体にわたって説明される実施形態の教示に従って、ホストコンピュータがスタートした送信において搬送されたユーザデータをＵＥに送信する。オプションの第４のアクション３４４０において、ＵＥは、ホストコンピュータによって実行されるホストアプリケーションに関連するクライアントアプリケーションを実行する。
【０２００】
図１２は、一実施形態による、通信システムにおいて実施される方法を示すフローチャートである。通信システムは、ホストコンピュータと、ＡＰ  ＳＴＡのような基地局と、図９および図１０に関連して説明したような非ＡＰ  ＳＴＡのようなＵＥとを含む。本開示を簡単にするために、図１２を参照する図面のみがこのセクションに含まれる。本方法の第１のアクション３５１０では、ホストコンピュータはユーザデータを提供する。オプションのサブアクション（不図示）では、ホストコンピュータは、ホストアプリケーションを実行することによってユーザデータを提供する。第２のアクション３５２０において、ホストコンピュータは、ユーザデータをＵＥに搬送する送信を開始する。送信された信号は、本開示全体にわたって説明される実施形態の教示にしたがって、基地局を介して渡されてもよい。オプションの第３のアクション３５３０において、ＵＥは、送信信号により搬送されるユーザデータを受信する。
【０２０１】
図１３は、一実施形態による、通信システムにおいて実施される方法を示すフローチャートである。通信システムは、ホストコンピュータと、ＡＰ  ＳＴＡのような基地局と、図９および図１０に関連して説明したような非ＡＰ  ＳＴＡのようなＵＥとを含む。本開示を簡単にするために、図１３を参照する図面のみがこのセクションに含まれる。本方法のオプションの第１のアクション３６１０において、ＵＥは、ホストコンピュータによって提供される入力データを受信する。さらに、または代替的に、オプションの第２のアクション３６２０において、ＵＥはユーザデータを提供する。第２のアクション３６２０のオプションのサブアクション３６２１において、ＵＥは、クライアントアプリケーションを実行することによってユーザデータを提供する。第１のアクション３６１０のさらなるオプションのサブアクション３６１１において、ＵＥは、ホストコンピュータによって提供される受信された入力データに応答してユーザデータを提供するクライアントアプリケーションを実行する。ユーザデータを提供する際に、実行されたクライアントアプリケーションは、ユーザから受け取ったユーザ入力をさらに考慮してもよい。ユーザデータの提供に要した特定の方法にかかわらず、ＵＥは、オプションの第３のサブアクション３６３０において、ユーザデータのホストコンピュータへの送信を開始する。本方法の第４のアクション３６４０において、ホストコンピュータは、本開示全体にわたって説明される実施形態の教示に従って、ＵＥから送信されたユーザデータを受信する。
【０２０２】
図１４は、一実施形態による、通信システムにおいて実施される方法を示すフローチャートである。通信システムは、ホストコンピュータと、ＡＰ  ＳＴＡのような基地局と、図９および図１０に関連して説明したような非ＡＰ  ＳＴＡのような端末とを含む。本開示を簡単にするために、図１４を参照する図面のみがこのセクションに含まれる。方法のオプションの第１のアクション３７１０では、本開示全体にわたって説明される実施形態の教示に従って、基地局は、ＵＥからユーザデータを受信する。オプションの第２のアクション３７２０では、基地局は、受信したユーザデータのホストコンピュータへの送信を開始する。第３のアクション３７３０において、ホストコンピュータは、基地局によって開始された送信において運ばれるユーザデータを受信する。
【０２０３】
用語「有する（ｃｏｍｐｒｉｓｅ）」または「有している（ｃｏｍｐｒｉｓｉｎｇ）」を使用する場合、それは、非限定的であると解釈されるべきであり、すなわち、「少なくとも含む」を意味する。
【０２０４】
本明細書の実施形態は、上述の好ましい実施形態に限定されない。様々な代替、修正、および均等物を使用してもよい。
【０２０５】
短縮語        解説
ＲＴＫ        リアルタイムキネマティックス
ＡＤＡ        アシスタンスデータ（支援データ）
ＮＮ          ネットワークノード
Ｅ−ＳＭＬＣ  エボルブドサービングモバイルロケーションセンター
ＬＭＦ        ロケーション管理機能
ＭＮＮ        モビリティネットワークノード
ＭＭＥ        モビリティ管理エンティティ
ＡＭＦ        アクセスアンドモビリティ機能
ＲＮＮ        無線ネットワークノード
ＵＥ          ユーザ装置
ＯＴＤＯＡ    観測された到着時間差
ＳＩＢ        システム情報ブロック
ｐＳＩＢ      測位システム情報ブロック
ｐＳＩ        測位システムテム情報ブロック・スケジューリング情報
ＲＲＣ        無線リソース制御
ＧＰＳ        全球測位システム
ＧＮＳＳ      全球衛星測位システム
【０２０６】
番号付きの例示的な実施形態
【０２０７】
ＵＳ１．
スケジューリングされた測位システム情報を無線ネットワークノードから受信する無線デバイスであって、前記無線デバイスは、プロセッサと、メモリとを含み、前記メモリは、前記プロセッサによって実行可能な命令を含み、それにより、前記無線デバイスは、
−  前記無線ネットワークノードから測位システム情報・スケジューリング情報（ｐＳＩ）を受信し、
−  前記無線ネットワークノードから、
−  スケジューリングオフセットと、
−  ＳＩウィンドウごとの、測位システム情報ブロックを有するシステム情報メッセージ（ｐＳＩＭ）の数と、
のうちの少なくとも１つを受信し、
−  どのサブフレームにおいて１つ以上のｐＳＩＭが無線ネットワークノードによってスケジューリングされるかを、前記ｐＳＩに基づくとともに、
−  前記スケジューリングオフセットと、
−  ＳＩウィンドウあたりのｐＳＩＭの数と、のうちの少なくとも１つに基づいて、決定し、
−  前記１つ以上のｐＳＩＭを受信するために前記１つ以上のｐＳＩＭについての前記決定されたスケジューリングを使用する、ように動作する。
【０２０８】
ＵＳ２．
ＵＳ１の無線デバイスであって、さらに、
−  前記受信された１つ以上のｐＳＩＭの情報を復号し、前記復号された情報を使用して前記無線デバイスの測位を支援する、ように動作する。
【０２０９】
ＵＳ３．
ＵＳ１またはＵＳ２の無線デバイスであって、前記無線デバイスは、前記１つ以上のｐＳＩＭがどのサブフレームにおいてスケジューリングされるかを、前記ｐＳＩと前記スケジューリングオフセットとに基づいて、決定するように動作することは、さらに、
−  ＳＦＮ  ｍｏｄ  Ｔ＝Ｆｌｏｏｒ（ｘ／１０）＋８が満たされる無線フレームにおいてａ＝ｘ  ｍｏｄ  １０としてｐＳＩＭのためのスタートサブフレーム番号ａを決定するように動作することによるものであり、ここで、ＳＦＮはサブフレーム番号であり、ＴはｐＳＩＭのＳＩ周期であり、８はスケジューリングオフセットによって示されるものであり、ｘはｘ  ＝  ｍ＊ｗｍ  ＋（ｎ−１）＊ｗｎによって与えられる整数値であり、ｍはＳＩメッセージの数であり、ｗｍはＳＩメッセージのウィンドウ長であり、ｎはｐＳＩＭのリスト内におけるエントリの順番を与えるもので、ｐＳＩによって与えられ、ｗｎはｐＳＩＭのウィンドウ長である。
【０２１０】
ＵＳ４．
ＵＳ１からＵＳ３のいずれか一項に記載の無線デバイスであって、前記スケジューリングオフセットは、シフトされたスタート位置を示すインジケーションである。
【０２１１】
ＵＳ５．
ＵＳ１からＵＳ３のいずれか一項に記載の無線デバイスであって、前記スケジューリングオフセットはＳＩ周期に等しい。
【０２１２】
ＵＳ６．
ＵＳ５に記載の無線デバイスであって、前記ＳＩ周期は８サブフレームである。
【０２１３】
ＵＳ７．
ＵＳ１またはＵＳ２に記載の無線デバイスであって、前記無線デバイスは、前記１つ以上のｐＳＩＭが、前記ｐＳＩと、前記スケジューリングオフセットとに基づいて、どのサブフレームにおいてスケジューリングされるかを決定するように動作することは、さらに、
−  ＳＦＮ  ｍｏｄ  Ｔ  ＝  Ｆｌｏｏｒ  （ｘ／１０）である無線フレームにおいてｐＳＩＭに対するスタートサブフレーム番号ａをａ  ＝  ｘ  ｍｏｄ  １０として決定するように動作することによるものでり、ここで、ＳＦＮはサブフレーム番号であり、ＴはｐＳＩＭのＳＩ周期であり、ｘはｘ  ＝  ＦＬＯＯＲ（（（ｎ−１）／ｃ）＊ｗｎで与えられる整数値である。ここで、ｎはｐＳＩＭのリスト内におけるエントリの順番を与えるもので、ｐＳＩにより与えられ、ｃはＳＩウインドウあたりでスケジューリングされるｐＳＩＭの数であり、ｗｎはｐＳＩＭのウインドウ長である。
【０２１４】
ＵＳ８．
ＵＳ１からＵＳ７のいずれか一項に記載の無線デバイスであって、各ｐＳＩＭは、１つ以上の測位システム情報ブロック（ｐＳＩＢ）を含み、各ｐＳＩＢは、測位支援データの１つ以上のセグメントを含む。
【０２１５】
ＵＳ９．
ＵＳ８に記載の無線デバイスであって、前記ｐＳＩは、
−  ｐＳＩＢタイプごとの全球衛星測位システム識別情報（ＧＮＳＳ  ＩＤ）と、
−  各ｐＳＩＭにおける前記１つ以上のｐＳＩＢが暗号化されているかどうかを示すインジケーションと、のうちの１つ以上を含む。
ＵＳ１０．
ＵＳ１からＵＳ９のいずれか一項に記載の無線デバイスであって、前記ＳＩウィンドウあたりのｐＳＩＭの数は、ＳＩウィンドウ内のＳＩメッセージの後にスケジューリングされるＰＳＩＭの数を示す。
【０２１６】
ＵＳ１１．
スケジューリングされた測位システム情報を無線デバイスに送信する無線ネットワークノードであって、前記無線ネットワークノードは、プロセッサとメモリとを備え、前記メモリは、前記プロセッサによって実行可能な命令を含み、それによって、前記無線ネットワークノードは、
−  １つ以上の測位システム情報ブロック（ｐＳＩＢ）を取得し、
−  １つ以上のｐＳＩＢを含めるために、測位システム情報ブロックを有する１つ以上のシステム情報メッセージ（ｐＳＩＭ）をコンパイルし、
−  スケジューリングオフセットとＳＩウィンドウあたりのｐＳＩＭの数とのうちの少なくとも１つを考慮して、前記１つ以上のｐＳＩＭの測位システム情報スケジューリング情報（ｐＳＩ）を決定し、
−  前記１つ以上のｐＳＩＭについての前記決定されたｐＳＩと、前記スケジューリングオフセットおよび前記ｐＳＩＭの数のうちの少なくとも１つと、をブロードキャストし、
−  前記決定されたｐＳＩに従って前記１つ以上のｐＳＩＭをスケジューリングして送信する、ように動作する。
【０２１７】
ＵＳ１２．
ＵＳ１１に記載の無線ネットワークノードであって、前記ｐＳＩは、
−ｐＳＩＢタイプごとの全球衛星測位システム識別情報（ＧＮＳＳ  ＩＤ）と、
−各ｐＳＩＭの前記１つ以上のｐＳＩＢが暗号化されているかどうかを示すインジケーションと、のうちの１つ以上を含む。
【０２１８】
ＵＳ１３．
ＵＳ１１またはＵＳ１２に記載の無線ネットワークノードであって、各ｐＳＩＢは、測位支援データの１つ以上のセグメントを含む。
【０２１９】
ＵＳ１４．
ＵＳ１１からＵＳ１３のいずれか一項に記載の無線ネットワークノードであって、前記スケジューリングオフセットは、シフトされたスタート位置を示すインジケーションである。
【０２２０】
ＵＳ１５．
ＵＳ１１からＵＳ１３のいずれか一項に記載の無線ネットワークノードであって、前記スケジューリングオフセットはＳＩ周期に等しい。
【０２２１】
ＵＳ１６．
ＵＳ１５に記載の無線ネットワークノードであって、前記ＳＩ周期が８サブフレームである。
【０２２２】
ＵＳ１７．
ＵＳ１１からＵＳ１６のいずれか一項に記載の無線ネットワークノードであって、前記ＳＩウィンドウあたりのｐＳＩＭの数は、ＳＩウィンドウ内のＳＩメッセージの後にスケジューリングされるｐＳＩＭの数を示す。
【０２２３】
ＣＮ１．
無線ネットワークノードからスケジューリングされた測位システム情報を受信する無線デバイス（１０、１２０）であって、前記無線デバイスは、
−  前記無線ネットワークノード（２０、１１０）から測位システム情報スケジューリング情報（ｐＳＩ）を受信するように構成された受信ユニットと、
前記受信ユニットは、前記無線ネットワークノード（２０、１１０）から、
−  スケジューリングオフセットと、
−  ＳＩウィンドウあたりでの、測位システム情報ブロックを有するシステム情報メッセージ（ｐＳＩＭ）の数と、のうちの少なくとも１つを受信するようにさらに構成されており、
−  １つ以上のｐＳＩＭが、無線ネットワークノード（２０、１１０）によってどのサブフレームにおいてスケジューリングされるかを、前記ｐＳＩに基づくとともに、
−  前記スケジューリングオフセットと、
−  前記ＳＩウィンドウあたりのｐＳＩＭの数と、
のうちの少なくとも１つに基づいて、決定するように構成された決定ユニットと、を有し、
−  前記受信ユニットは、前記１つ以上のｐＳＩＭを受信するための前記１つ以上のｐＳＩＭについての前記決定されたスケジューリングを使用するように構成されている。
【０２２４】
ＣＮ２．
ＣＮ１の無線デバイス（１０、１２０）であって、さらに、
−  前記受信された１つ以上のｐＳＩＭの情報を復号し、前記無線デバイス（１０、１２０）の測位を支援するために前記復号された情報を使用するように構成された復号ユニットを有する。
【０２２５】
ＣＮ３．
ＣＮ１またはＣＮ２に記載の無線デバイス（１０、１２０）であって、前記決定ユニットは、前記ｐＳＩおよび前記スケジューリングオフセットに基づいて、前記１つ以上のｐＳＩＭがどのサブフレームにおいてスケジューリングされるかを決定するよう構成されることは、さらに、
−  ＳＦＮ  ｍｏｄ  Ｔ＝Ｆｌｏｏｒ（ｘ／１０）＋８である無線フレームにおけるｐＳＩＭについてのスタートサブフレーム番号ａをａ＝ｘ  ｍｏｄ  １０として決定するように構成されていることによるものであり、ここで、ＳＦＮはサブフレーム番号であり、ＴはｐＳＩＭのＳＩ周期であり、８はスケジューリングオフセットによって示されるものであり、ｘはｘ  ＝  ｍ＊ｗｍ  ＋（ｎ−１）＊ｗｎによって与えられる整数値であり、ここで、ｍはＳＩメッセージの数であり、ｗｍはＳＩメッセージのウィンドウ長であり、ｎはｐＳＩＭのリスト内でのエントリの順番を与えるもので、ｐＳＩによって与えられ、ｗｎはｐＳＩＭのウィンドウ長である。
【０２２６】
ＣＮ４．
ＣＮ１からＣＮ３のいずれか一項に記載の無線デバイス（１０、１２０）であって、前記スケジューリングオフセットは、シフトされたスタート位置を示すインジケーションである。
【０２２７】
ＣＮ５．
ＣＮ１からＣＮ３のいずれか一項の無線デバイス（１０、１２０）であって、前記スケジューリングオフセットはＳＩ周期に等しい。
【０２２８】
ＣＮ６．
ＣＮ５に記載の無線デバイス（１０、１２０）であって、前記ＳＩ周期は８サブフレームである。
【０２２９】
ＣＮ７．
ＣＮ１またはＣＮ２に記載の無線デバイス（１０、１２０）であって、前記決定ユニットは、前記１つ以上のｐＳＩＭが、前記ｐＳＩと、前記ＳＩウィンドウあたりのｐＳＩＭの個数とに基づいて、どのサブフレームにおいてスケジューリングされるかを決定するように構成されていることは、さらに、
−  ＳＦＮ  ｍｏｄ  Ｔ  ＝  Ｆｌｏｏｒ（ｘ／１０）である無線フレームにおけるｐＳＩＭについてのスタートサブフレーム番号ａをａ＝ｘ  ｍｏｄ  １０として決定するように構成されていることによるものであり、ここで、ＳＦＮはサブフレーム番号であり、ＴはｐＳＩＭのＳＩ周期であり、ｘはｘ  ＝  ＦＬＯＯＲ（（（ｎ−１）／ｃ）＊ｗｎで与えられる整数値であり、ここで、ｎはｐＳＩＭのリストにおけるエントリの順番を与えるもので、ｐＳＩで与えられ、ｃはＳＩウインドウあたりにスケジューリングされるｐＳＩＭの数であり、ｗｎはｐＳＩＭのウインドウ長である。
【０２３０】
ＣＮ８．
ＣＮ１からＣＮ７のいずれか一項の無線デバイス（１０、１２０）であって、各ｐＳＩＭは１つ以上の測位システム情報ブロック（ｐＳＩＢ）を含み、各ｐＳＩＢは測位支援データの１つ以上のセグメントを含む。
【０２３１】
ＣＮ９．
ＣＮ８に記載の無線デバイス（１０、１２０）であって、前記ｐＳＩは、
−  ｐＳＩＢタイプごとの全球衛星測位システム識別情報（ＧＮＳＳ  ＩＤ）と、
−  各ｐＳＩＭにおける前記１つ以上のｐＳＩＢが暗号化されているかどうかを示すインジケーションと、のうちの１つ以上を含む。
【０２３２】
ＣＮ１０．
ＣＮ１からＣＮ９のいずれか一項に記載の無線デバイス（１０、１２０）であって、前記ＳＩウィンドウあたりのｐＳＩＭの数は、ＳＩウィンドウ内のＳＩメッセージの後にスケジューリングされるＰＳＩＭの数を示す。
【０２３３】
ＣＮ１１．
無線デバイス（１０、１２０）にスケジューリングされた測位システム情報を送信するための無線ネットワークノード（２０、１１０）であって、前記無線ネットワークノード（２０、１１０）は、
−  １つ以上の測位システム情報ブロック（ｐＳＩＢ）を取得するように構成された取得ユニットと、
−  １つ以上のｐＳＩＢを含めるために、測位システム情報ブロックを有する１つ以上のシステム情報メッセージ’（ｐＳＩＭ）をコンパイルするように構成されたコンパイルユニットと、
−  スケジューリングオフセットとＳＩウィンドウあたりのｐＳＩＭの数とのうちの少なくとも１つを考慮して、前記１つ以上のｐＳＩＭの測位システム情報スケジューリング情報（ｐＳＩ）を決定するように構成された決定ユニットと、
−  前記１つ以上のｐＳＩＭの前記決定されたｐＳＩと、前記スケジューリングオフセットおよび前記ｐＳＩＭの数のうちの前記少なくとも１つと、をブロードキャストするように構成された送信ユニットおよび／またはブロードキャストユニットと、前記決定されたｐＳＩに従って前記１つ以上のｐＳＩＭをスケジューリングするように構成されたスケジューリングユニットと、前記決定されたｐＳＩに従って前記１つ以上のｐＳＩＭを送信するように構成された送信ユニットと、を有する。
【０２３４】
ＣＮ１２．
ＣＮ１１に記載の無線ネットワークノード（２０、１１０）であって、前記ｐＳＩは、
−  ｐＳＩＢタイプごとの全球衛星測位システム識別情報（ＧＮＳＳ  ＩＤ）と、
−各ｐＳＩＭにおける前記１つ以上のｐＳＩＢが暗号化されているかどうかを示すインジケーションと、のうちの１つ以上を含む。
【０２３５】
ＣＮ１３．
ＣＮ１１またはＣＮ１２に記載の無線ネットワークノード（２０、１１０）っであって、各ｐＳＩＢは、測位支援データの１つ以上のセグメントを含む。
【０２３６】
ＣＮ１４．
ＣＮ１１からＣＮ１３のいずれか一項に記載の無線ネットワークノード（２０、１１０）であって、前記スケジューリングオフセットは、シフトされたスタート位置を示すインジケーションである。
【０２３７】
ＣＮ１５．
ＣＮ１１からＣＮ１３のいずれか一項に記載の無線ネットワークノード（２０、１１０）であって、前記スケジューリングオフセットはＳＩ周期に等しい。
【０２３８】
ＣＮ１６．
ＣＮ１５の無線ネットワークノード（２０、１１０）であって、前記ＳＩ周期は８サブフレームである。
【０２３９】
ＣＮ１７．
ＣＮ１１からＣＮ１６のいずれか１つに記載の無線ネットワークノード（２０、１１０）であって、前記ＳＩウィンドウあたりのｐＳＩＭの数は、ＳＩウィンドウ内においてＳＩメッセージの後にスケジューリングされるｐＳＩＭの数を示す。
【図１Ａ】
2021523612.tif 000009
【図１Ｂ】
2021523612.tif 000010
【図２】
2021523612.tif 000011
【図３】
2021523612.tif 000012
【図４】
2021523612.tif 000013
【図５】
2021523612.tif 000014
【図６】
2021523612.tif 000015
【図７】
2021523612.tif 000016
【図８】
2021523612.tif 000017
【図９】
2021523612.tif 000018
【図１０】
2021523612.tif 000019
【図１１】
2021523612.tif 000020
【図１２】
2021523612.tif 000021
【図１３】
2021523612.tif 000022
【図１４】
2021523612.tif 000023
【手続補正書】
【提出日】令和2年12月15日(2020.12.15)
【手続補正１】
【補正対象書類名】特許請求の範囲
【補正対象項目名】全文
【補正方法】変更
【補正の内容】
【特許請求の範囲】
【請求項１】
無線ネットワークノード（２０、１１０）からスケジューリングされた測位システム情報を受信するための無線デバイス（１０、１２０）によって実行される方法であって、前記無線デバイス（１０、１２０）および前記無線ネットワークノード（２０、１１０）は無線通信ネットワーク（１００）で動作し、前記方法は、
−  前記無線ネットワークノード（２０、１１０）からの測位システム情報スケジューリング情報であるｐＳＩを受信すること（４０１）と、
−  前記無線ネットワークノード（２０、１１０）から受信すること（４０２）であって、
−  スケジューリングオフセットと、
−  ＳＩウィンドウあたりでの、測位システム情報ブロックを有するシステム情報メッセージであるｐＳＩＭの数と、うちの少なくとも１つを受信することと、
−  前記ｐＳＩに基づいて、前記無線ネットワークノード（２０、１１０）によって１つ以上のｐＳＩＭがどのサブフレームにスケジューリングされるかを決定すること（４０３）であって、さらに、
−  前記スケジューリングオフセットと、
−  前記ＳＩウィンドウあたりでの前記ｐＳＩＭの数と、のうちの少なくとも１つに基づいて、決定することと、
−  前記１つ以上のｐＳＩＭを受信するために前記１つ以上のｐＳＩＭについての前記決定されたスケジューリングを使用すること（４０４）と、を有する方法。
【請求項２】
請求項１に記載の方法であって、さらに、
−  前記受信された１つ以上のｐＳＩＭの情報を復号すること（４０５）と、前記無線デバイス（１０、１２０）の測位を支援するために前記復号された情報を使用することと、を有する方法。
【請求項３】
請求項１または２に記載の方法であって、前記ｐＳＩと前記スケジューリングオフセットとに基づいて前記１つ以上のｐＳＩＭがどのサブフレームにスケジューリングされるかを決定すること（４０３）は、
−  ＳＦＮ  ｍｏｄ  Ｔ＝Ｆｌｏｏｒ（ｘ／１０）＋８である無線フレームにおいてａ＝  ｘ  ｍｏｄ  １０としてｐＳＩＭのスタートサブフレーム番号ａを決定することを含み、ここで、ＳＦＮはシステムフレーム番号であり、Ｔは前記ｐＳＩＭのＳＩ周期であり、８はスケジューリングオフセットによって示され、ｘはｘ  ＝  ｍ＊ｗｍ  ＋（ｎ−１）＊ｗｎによって与えられる整数値であり、ここで、ｍはＳＩメッセージの数であり、ｗｍは前記ＳＩメッセージのウィンドウ長であり、ｎは前記ｐＳＩＭのリスト内のエントリの順番を与えるもので、前記ｐＳＩによって与えられ、ｗｎは前記ｐＳＩＭのウィンドウ長である、方法。
【請求項４】
請求項１から３のいずれか一項に記載の方法であって、前記スケジューリングオフセットは、シフトされたスタート位置のインジケーションである、方法。
【請求項５】
請求項１から３のいずれか一項に記載の方法であって、前記スケジューリングオフセットは、ＳＩ周期に等しい、方法。
【請求項６】
請求項５に記載の方法であって、前記ＳＩ周期は、８サブフレームである、方法。
【請求項７】
請求項１または２に記載の方法であって、前記ｐＳＩと前記ＳＩウィンドウあたりでのｐＳＩＭの数とに基づいて前記１つ以上のｐＳＩＭがどのサブフレームにスケジューリングされるかを決定すること（４０３）は、
−  ＳＦＮ  ｍｏｄ  Ｔ＝Ｆｌｏｏｒ（ｘ／１０）である無線フレームにおいてａ＝  ｘ  ｍｏｄ  １０としてｐＳＩＭのスタートサブフレーム番号ａを決定することを含み、ここで、ＳＦＮはシステムフレーム番号であり、ＴはｐＳＩＭのＳＩ周期であり、ｘはｘ  ＝  ＦＬＯＯＲ（（ｎ−１）／ｃ）＊ｗｎによって与えられる整数値であり、ｎはｐＳＩＭのリスト内のエントリの順番を与えるもので、前記ｐＳＩによって与えられ、ｃはＳＩウィンドウあたりでスケジューリングされるｐＳＩＭの数であり、ｗｎは前記ｐＳＩＭのウィンドウ長である、方法。
【請求項８】
請求項１から７のいずれか一項に記載の方法であって、各ｐＳＩＭは、１つ以上の測位システム情報ブロックであるｐＳＩＢを含み、各ｐＳＩＢは、測位支援データの１つ以上のセグメントを含む、方法。
【請求項９】
請求項８に記載の方法であって、前記ｐＳＩは、
−  ｐＳＩＢタイプごとの全球衛星測位システム識別情報であるＧＮＳＳ  ＩＤと、
−  各ｐＳＩＭの前記１つ以上のｐＳＩＢが暗号化されているかどうかのインジケーションと、のうちの１つ以上を含む、方法。
【請求項１０】
請求項１から９のいずれか一項に記載の方法であって、前記ＳＩウィンドウあたりのｐＳＩＭの数が、ＳＩウィンドウ内においてＳＩメッセージの後にスケジューリングされるＰＳＩＭの数を示す、方法。
【請求項１１】
無線デバイス（１０、１２０）へスケジューリングされた測位システム情報を送信するために無線ネットワークノード（２０、１１０）によって実行される方法であって、前記無線ネットワークノード（２０、１１０）および前記無線デバイス（１０、１２０）は無線通信ネットワーク（１００）で動作するものであり、前記方法は、
−  １つ以上の測位システム情報ブロックであるｐＳＩＢを取得すること（６０１）と、
−  １つ以上のｐＳＩＢを含めるように、測位システム情報ブロックを有する１つ以上のシステム情報メッセージであるｐＳＩＭをコンパイルすること（６０２）と、
−  スケジューリングオフセットとＳＩウィンドウあたりのｐＳＩＭの数とのうちの少なくとも１つを考慮して、前記１つ以上のｐＳＩＭの測位システム情報スケジューリング情報であるｐＳＩを決定すること（６０３）と、
−  前記１つ以上のｐＳＩＭについての前記決定されたｐＳＩと、前記スケジューリングオフセットおよび前記ｐＳＩＭの数のうちの少なくとも１つとをブロードキャストすること（６０４）と、
−  前記決定されたｐＳＩに従って前記１つ以上のｐＳＩＭをスケジューリングして送信すること（６０５）と、を有する方法。
【請求項１２】
請求項１１に記載の方法であって、前記ｐＳＩは、
−  ｐＳＩＢタイプごとの全球衛星測位システム識別情報であるＧＮＳＳ  ＩＤと、
−  各ｐＳＩＭの前記１つ以上のｐＳＩＢが暗号化されているかどうかのインジケーションと、のうちの１つ以上を含む、方法。
【請求項１３】
請求項１１または１２に記載の方法であって、各ｐＳＩＢは、測位支援データの１つ以上のセグメントを含む、方法。
【請求項１４】
請求項１１から１３のいずれか一項に記載の方法であって、前記スケジューリングオフセットは、シフトされたスタート位置のインジケーションである、方法。
【請求項１５】
請求項１１から１３のいずれか一項に記載の方法であって、前記スケジューリングオフセットは、ＳＩ周期に等しい、方法。
【請求項１６】
請求項１５に記載の方法であって、前記ＳＩ周期は８サブフレームである、方法。
【請求項１７】
請求項１１から１６のいずれか一項に記載の方法であって、前記ＳＩウィンドウあたりのｐＳＩＭの数は、ＳＩウィンドウ内においてＳＩメッセージの後にスケジューリングされるｐＳＩＭの数を示す、方法。
【請求項１８】
無線ネットワークノード（２０、１１０）からスケジューリングされた測位システム情報を受信する無線デバイス（１０、１２０）であって、前記無線デバイス（１０、１２０）および前記無線ネットワークノード（２０、１１０）は無線通信ネットワーク（１００）において動作するように構成されており、前記無線デバイス（１０、１２０）は、請求項１から１０のいずれか一項に記載の方法を実行する、ように構成されている、無線デバイス。
【請求項１９】
無線デバイス（１０、１２０）にスケジューリングされた測位システム情報を送信する無線ネットワークノード（２０、１１０）であって、前記無線ネットワークノード（２０、１１０）および前記無線デバイス（１０、１２０）は無線通信ネットワーク（１００）で動作するように構成されており、前記無線ネットワークノード（２０、１１０）は、請求項１１から１７のいずれか一項に記載の方法を実行する、無線ネットワークノード。
【請求項２０】
少なくとも１つのプロセッサ上で実行されると、前記少なくとも１つのプロセッサに請求項１から１７のいずれか一項に記載の方法を実行させる命令を含むコンピュータプログラム。
【請求項２１】
請求項２０に記載のコンピュータプログラムを有する、コンピュータ可読記憶媒体。
【国際調査報告】
2021523612.tif 000024
2021523612.tif 000025
2021523612.tif 000026